(57)【要約】第１のnumerologyおよび第２のnumerologyに基づいて無線デバイスに対する同期状態を決定するように構成された、方法、無線デバイス、およびネットワークノード。  一実施形態絵では、第１のnumerologyおよび第２のnumerologyに基づいて無線デバイスに対する同期状態を決定するために無線デバイスによって実行される方法が提供される。  方法は、第１のネットワークノードから受信された第１のダウンリンク信号の受信と第２のネットワークノードから受信された第２のダウンリンク信号の受信との間の時間差を推定することと、第１のnumerologyおよび第２のnumerologyに基づいて第１のダウンリンク閾値を取得することと、推定された時間差と第１のダウンリンク閾値との間の関係に基づいて無線デバイスの同期状態を決定することを含む。 【選択図】図４
2019533924.tif 000002
【特許請求の範囲】
【請求項１】
第１のnumerologyおよび第２のnumerologyに基づいて無線デバイスに対する同期状態を決定するために無線デバイスによって実行される方法であって、
第１のネットワークノードから受信された第１のダウンリンク信号の受信と第２のネットワークノードから受信された第２のダウンリンク信号の受信との間の時間差を推定することと、
前記第１のnumerologyおよび前記第２のnumerologyに基づいてダウンリンク閾値を取得することと、
前記推定された時間差と前記ダウンリンク閾値との間の比較に基づいて、前記無線デバイスの前記同期状態を決定すること、を含む、方法。
【請求項２】
請求項１に記載の方法であって、前記第１のnumerologyは、前記第１のダウンリンク信号を動作させるために使用され、前記第２のnumerologyは、第２のダウンリンク信号を動作させるために使用される、方法。
【請求項３】
請求項１または２に記載の方法であって、前記第１のネットワークノードと前記第２のネットワークノードは同じノードである、方法。
【請求項４】
請求項１または２に記載の方法であって、前記第１のネットワークノードと前記第２のネットワークノードは異なるノードである、方法。
【請求項５】
請求項１から４のいずれか１項に記載の方法であって、更に、同期および非同期マルチコネクティビティのうちの少なくとも一方のサポートに関する前記無線デバイスの能力についての情報を他のノードに指示することを含む、方法。  
【請求項６】
請求項５に記載の方法であって、前記指示は、前記他のノードからの要求の受信に応答して前記他のノードに送信される、方法。
【請求項７】
請求項１から６のいずれか１項に記載の方法であって、更に、少なくとも１つの動作タスクのために前記無線デバイスの前記決定された同期状態を使用することを含む、方法。
【請求項８】
請求項７に記載の方法であって、前記少なくとも１つの動作タスクは、受信信号の復調、信号の送信、無線測定、電力制御方式の選択および適用の少なくとも１つ、前記推定された時間差およびアップリンク送信時間差の少なくとも１つの他の無線デバイスへの送信、前記推定された時間差および前記アップリンク送信時間差の少なくとも１つの他のネットワークノードへの送信、前記無線デバイスの前記同期状態を他のネットワークノードまたは他の無線デバイスへ指示すること、のうちの少なくとも１つを含む、方法。
【請求項９】
請求項１から８のいずれか１項に記載の方法であって、更に、前記無線デバイスにおいて、前記第１のネットワークノードにより運用される第１のセルにおける前記無線デバイスにより送信される第１のアップリンク信号と、前記第２のネットワークノードにより運用される第２のセルにおける前記無線デバイスにより送信される第２のアップリンク信号との間の送信時間差を推定すること、を含む、方法。
【請求項１０】
請求項１から９のいずれか１項に記載の方法であって、前記ダウンリンク閾値は、異なるサブキャリア間隔に対応する閾値のテーブルから選択される、方法。
【請求項１１】
請求項１から１０のいずれか１項に記載の方法であって、前記無線デバイスの前記同期状態は、前記推定された時間差が前記ダウンリンク閾値を超える場合に同期的であり、そうでない場合に非同期的である、方法。
【請求項１２】
請求項１から１０のいずれか１項に記載の方法であって、前記ダウンリンク閾値の大きさは、第１のダウンリンクセルと第２のダウンリンクセルの少なくとも一方において使用されるサブキャリア間隔の増加に伴って減少する、方法。 
【請求項１３】
請求項１から１２のいずれか１項に記載の方法であって、第２のダウンリンク閾値の大きさは、第１のダウンリンクセルと第２のダウンリンクセルの少なくとも一方において使用されるサブキャリア間隔の増加に伴って減少する、方法。 
【請求項１４】
第１のnumerologyおよび第２のnumerologyに基づいて無線デバイスに対する同期状態を決定するように構成された無線デバイスであって、
通信インタフェースと、
処理回路を含み、前記処理回路は、
第１のネットワークノードから受信された第１のダウンリンク信号の受信と第２のネットワークノードから受信された第２のダウンリンク信号の受信との間の時間差を推定し、
前記第１のnumerologyおよび前記第２のnumerologyに基づいてダウンリンク閾値を取得し、 
前記推定された時間差と前記ダウンリンク閾値との間の比較に基づいて、前記無線デバイスの前記同期状態を決定する、ように構成される、無線デバイス。 
【請求項１５】
請求項１４に記載の無線デバイスであって、前記第１のnumerologyは、前記第１のダウンリンク信号を動作させるために使用され、前記第２のnumerologyは、前記第２のダウンリンク信号を動作させるために使用される、無線デバイス。
【請求項１６】
請求項１４または１５に記載の無線デバイスであって、前記第１のネットワークノードと前記第２のネットワークノードは同じノードである、無線デバイス。
【請求項１７】
請求項１４または１５に記載の無線デバイスであって、前記第１のネットワークノードと前記第２のネットワークノードは異なるノードである、無線デバイス。
【請求項１８】
請求項１４から１７のいずれか１項に記載の無線デバイスであって、前記通信インタフェースは、同期および非同期マルチコネクティビティのうちの少なくとも一方のサポートに関する前記無線デバイスの能力についての情報を他のノードに指示するように構成される、無線デバイス。  
【請求項１９】
請求項１８に記載の無線デバイスであって、前記指示は、前記他のノードからの要求の受信に応答して前記他のノードに送信される、無線デバイス。
【請求項２０】
請求項１４から１９のいずれか１項に記載の無線デバイスであって、前記１つ以上のプロセッサは、更に、少なくとも１つの動作タスクのために前記無線デバイスの前記決定された同期状態を使用するように構成される、無線デバイス。
【請求項２１】
請求項２０に記載の無線デバイスであって、前記少なくとも１つの動作タスクは、受信信号の復調、信号の送信、無線測定、電力制御方式の選択および適用の少なくとも１つ、前記推定された時間差およびアップリンク送信時間差の少なくとも１つの別の無線デバイスへの送信、前記推定された時間差および前記アップリンク送信時間差の少なくとも１つの他のネットワークノードへの送信、前記無線デバイスの前記同期状態を他のネットワークノードまたは他の無線デバイスへ指示すること、のうちの少なくとも１つを含む、無線デバイス。
【請求項２２】
請求項１４から２１のいずれか１項に記載の無線デバイスであって、前記１つ以上のプロセッサは、更に、前記第１のネットワークノードにより運用される第１のセルにおける前記無線デバイスにより送信される第１のアップリンク信号と、前記第２のネットワークノードにより運用される第２のセルにおける前記無線デバイスにより送信される第２のアップリンク信号との間の送信時間差を推定するように構成される、無線デバイス。
【請求項２３】
請求項１４から２２のいずれか１項に記載の無線デバイスであって、前記ダウンリンク閾値は、異なるサブキャリア間隔に対応する閾値のテーブルから選択される、無線デバイス。
【請求項２４】
請求項１４から２３のいずれか１項に記載の無線デバイスであって、前記無線デバイスの前記同期状態は、前記推定された時間差が前記ダウンリンク閾値を超える場合に同期的であり、そうでない場合に非同期的である、無線デバイス。
【請求項２５】
請求項１４から２４のいずれか１項に記載の無線デバイスであって、前記ダウンリンク閾値の大きさは、第１のダウンリンクセルと第２のダウンリンクセルの少なくとも一方において使用されるサブキャリア間隔の増加に伴って減少する、無線デバイス。 
【請求項２６】
請求項１４から２４のいずれか１項に記載の無線デバイスであって、第２のダウンリンク閾値の大きさは、第１のダウンリンクセルと第２のダウンリンクセルの少なくとも一方において使用されるサブキャリア間隔の増加に伴って減少する、無線デバイス。 
【請求項２７】
第１のnumerologyおよび第２のnumerologyに基づいて無線デバイスに対する同期状態を決定するためにネットワークノードによって実行される方法であって、
前記無線デバイスから、第１のネットワークノードから受信された第１のダウンリンク信号の前記無線デバイスによる受信と第２のネットワークノードから受信された第２のダウンリンク信号の前記無線デバイスによる受信との間の推定された時間差を取得することと、
前記第１のnumerologyおよび前記第２のnumerologyに基づいてダウンリンク閾値を取得することと、
前記推定された時間差と前記ダウンリンク閾値との間の比較に基づいて、前記無線デバイスの前記同期状態を決定すること、を含む、方法。 
【請求項２８】
請求項２７に記載の方法であって、前記第１のnumerologyは、前記第１のダウンリンク信号を動作させるために使用され、前記第２のnumerologyは、前記第２のダウンリンク信号を動作させるために使用される、方法。
【請求項２９】
請求項２７または２８に記載の方法であって、前記第１のネットワークノードと前記第２のネットワークノードは同じノードである、方法。
【請求項３０】
請求項２７または２８に記載の方法であって、前記第１のネットワークノードと前記第２のネットワークノードは異なるノードである、方法。
【請求項３１】
請求項２７から３０のいずれか１項に記載の方法であって、更に、同期および非同期マルチコネクティビティのうちの少なくとも一方のサポートに関する前記無線デバイスの能力についての情報を取得することを含む、方法。  
【請求項３２】
請求項３１に記載の方法であって、前記情報は、前記ネットワークノードからの前記情報に対する要求に応答して前記無線デバイスから受信される、方法。
【請求項３３】
請求項２７から３２のいずれか１項に記載の方法であって、更に、少なくとも１つの動作タスクのために前記無線デバイスの前記決定された同期状態を使用することを含む、方法。
【請求項３４】
請求項３３に記載の方法であって、前記少なくとも１つの動作タスクは、前記無線デバイスからの信号の受信、前記無線デバイスへの信号の送信、アップリンクおよびダウンリンク信号の少なくとも一方のスケジューリング、無線測定、タイミングアドバンスの推定、測定ギャップの設定の適合化、無線デバイスに使用される間欠受信（ＤＲＸ）設定の適合化、無線デバイスに送信される測定設定の適合化、タイミングアドバンスグループの設定、電力制御方式の選択および設定のいずれか一方、および前記推定された時間差およびアップリンク送信時間差の少なくともいずれかの他のネットワークノードへの送信、のうちの少なくとも１つを含む、方法。
【請求項３５】
請求項２７から３４のいずれか１項に記載の方法であって、更に、ネットワークノードにおいて、第１のセルにおける前記無線デバイスにより送信された第１のアップリンク信号と第２のセルにおける前記無線デバイスにより送信された第２のアップリンク信号との間の、前記無線デバイスにより推定された、送信時間差を取得することを含む、方法。
【請求項３６】
第１のnumerologyおよび第２のnumerologyに基づいて無線デバイスに対する同期状態を決定するように構成されたネットワークノードであって、前記ネットワークノードは、
通信インタフェースであって、
前記無線デバイスから、第１のネットワークノードから受信された第１のダウンリンク信号の前記無線デバイスによる受信と第２のネットワークノードから受信された第２のダウンリンク信号の前記無線デバイスによる受信との間の推定された時間差を取得し、
前記第１のnumerologyおよび前記第２のnumerologyに基づいてダウンリンク閾値を取得するように構成された通信インタフェースと、 
処理回路であって、
前記推定された時間差と前記ダウンリンク閾値との間の比較に基づいて、前記無線デバイスの前記同期状態を決定する、ように構成された処理回路とを有する、ネットワークノード。 
【請求項３７】
請求項３６に記載のネットワークノードであって、前記第１のnumerologyは、前記第１のダウンリンク信号を動作させるために使用され、前記第２のnumerologyは、前記第２のダウンリンク信号を動作させるために使用される、ネットワークノード。
【請求項３８】
請求項３６または３７に記載のネットワークノードであって、前記第１のネットワークノードと前記第２のネットワークノードは同じノードである、ネットワークノード。
【請求項３９】
請求項３７または３８に記載のネットワークノードであって、前記第１のネットワークノードと前記第２のネットワークノードは異なるノードである、ネットワークノード。
【請求項４０】
請求項３６から３９のいずれか１項に記載のネットワークノードであって、前記通信インタフェースは、更に、同期および非同期マルチコネクティビティのうちの少なくとも一方のサポートに関する前記無線デバイスの能力についての情報を取得するように構成される、ネットワークノード。  
【請求項４１】
請求項４０に記載のネットワークノードであって、前記情報は、前記ネットワークノードからの前記情報に対する要求に応答して前記無線デバイスから受信される、ネットワークノード。
【請求項４２】
請求項３６から４１のいずれか１項に記載のネットワークノードであって、前記処理回路は、更に、少なくとも１つの動作タスクのために前記無線デバイスの前記決定された同期状態を使用するように構成される、ネットワークノード。
【請求項４３】
請求項３６に記載のネットワークノードであって、前記少なくとも１つの動作タスクは、前記無線デバイスからの信号の受信、前記無線デバイスへの信号の送信、アップリンクおよびダウンリンク信号の少なくとも一方のスケジューリング、無線測定、タイミングアドバンスの推定、測定ギャップの設定の適合化、無線デバイスに使用される間欠受信（ＤＲＸ）設定の適合化、無線デバイスに送信される測定設定の適合化、タイミングアドバンスグループの設定、電力制御方式の選択および設定のいずれか一方、および前記推定された時間差およびアップリンク送信時間差のすくなくともいずれかの他のネットワークノードへの送信、のうちの少なくとも１つを含む、ネットワークノード。
【請求項４４】
請求項３６から４３のいずれか１項に記載のネットワークノードであって、前記通信インタフェースは、更に、第１のセルにおける前記無線デバイスにより送信された第１のアップリンク信号と第２のセルにおける前記無線デバイスにより送信された第２のアップリンク信号との間の、前記無線デバイスにより推定された、送信時間差を取得するように構成される、ネットワークノード。 
【請求項４５】
第１のnumerologyおよび第２のnumerologyに基づいて無線デバイスに対する同期状態を決定するために無線デバイスによって実行される方法であって、  
前記無線デバイスにより送信された第１のアップリンク信号の送信時間と、前記無線デバイスにより送信された第２のアップリンク信号の送信時間との間の時間差を推定することと、  
前記第１のnumerologyおよび前記第２のnumerologyに基づいてアップリンク閾値を取得することと、
前記推定された時間差と前記アップリンク閾値との間の比較に基づいて、前記無線デバイスの前記同期状態を決定することを含む、方法。 
【請求項４６】
請求項４５に記載の方法であって、前記第１のnumerologyは、前記第１のアップリンク信号を動作させるために使用され、前記第２のnumerologyは、前記第２のアップリンク信号を動作させるために使用される、方法。
【請求項４７】
請求項４５または４６に記載の方法であって、前記第１のネットワークノード（３４）と前記第２のネットワークノードは同じノードである、方法。
【請求項４８】
請求項４５または４６に記載の方法であって、前記第１のネットワークノードと前記第２のネットワークノードは異なるノードである、方法。
【請求項４９】
請求項４５から４８のいずれか１項に記載の方法であって、前記アップリンク閾値の大きさは、第１のアップリンクセルと第２のアップリンクセルの少なくとも一方において使用されるサブキャリア間隔の増加に伴って減少する、方法。 
【請求項５０】
請求項４５から４８のいずれか１項に記載の方法であって、第２のアップリンク閾値の大きさは、第１のアップリンクセルと第２のアップリンクセルの少なくとも一方において使用されるサブキャリア間隔の増加に伴って減少する、方法。
【請求項５１】
第１のnumerologyおよび第２のnumerologyに基づいて無線デバイスに対する同期状態を決定するように構成された無線デバイスであって、
処理回路であって、
前記無線デバイスにより送信された第１のアップリンク信号の送信時間と、前記無線デバイスにより送信された第２のアップリンク信号の送信時間との間の時間差を推定し、
前記第１のnumerologyおよび前記第２のnumerologyに基づいてアップリンク閾値を取得し、 
前記推定された時間差と前記アップリンク閾値との間の比較に基づいて、前記無線デバイスの前記同期状態を決定するように構成された処理回路を有する、無線デバイス。 
【請求項５２】
請求項５１に記載の無線デバイスであって、前記第１のnumerologyは、前記第１のアップリンク信号を動作させるために使用され、前記第２のnumerologyは、前記第２のアップリンク信号を動作させるために使用される、無線デバイス。
【請求項５３】
請求項５１または５２に記載の無線デバイスであって、前記第１のネットワークノードと前記第２のネットワークノードは同じノードである、無線デバイス。
【請求項５４】
請求項５１または５２に記載の無線デバイスであって、前記第１のネットワークノードと前記第２のネットワークノードは異なるノードである、無線デバイス。
【請求項５５】
請求項５１から５４のいずれか１項に記載の方法であって、前記アップリンク閾値の大きさは、第１のアップリンクセルと第２のアップリンクセルの少なくとも一方において使用されるサブキャリア間隔の増加に伴って減少する、方法。 
【請求項５６】
請求項５１から５４のいずれか１項に記載の方法であって、第２のアップリンク閾値の大きさは、第１のアップリンクセルと第２のアップリンクセルの少なくとも一方において使用されるサブキャリア間隔の増加に伴って減少する、方法。
【請求項５７】
第１のnumerologyおよび第２のnumerologyに基づいて無線デバイスに対する同期状態を決定するためにネットワークノードによって実行される方法であって、
前記無線デバイスから、第１のアップリンク信号の送信と第２のアップリンク信号の送信との間の推定された時間差を取得することと、
前記第１のnumerologyおよび前記第２のnumerologyに基づいてアップリンク閾値を取得することと、
前記推定された時間差と前記アップリンク閾値との間の比較に基づいて、前記無線デバイスの前記同期状態を決定することを含む、方法。 
【請求項５８】
請求項５７に記載の方法であって、前記第１のnumerologyは、前記第１のアップリンク信号を動作させるために使用され、前記第２のnumerologyは、前記第２のアップリンク信号を動作させるために使用される、方法。
【請求項５９】
請求項５７または５８に記載の方法であって、前記第１のネットワークノードと前記第２のネットワークノードは同じノードである、方法。
【請求項６０】
請求項５７または５８に記載の方法であって、前記第１のネットワークノードと前記第２のネットワークノードは異なるノードである、方法。
【請求項６１】
第１のnumerologyおよび第２のnumerologyに基づいて無線デバイスに対する同期状態を決定するように構成されたネットワークノードであって、前記ネットワークノードは、
処理回路であって、
前記無線デバイスから、第１のアップリンク信号の送信と第２のアップリンク信号の送信との間の推定された時間差を取得し、
前記第１のnumerologyおよび前記第２のnumerologyに基づいてアップリンク閾値を取得し、
前記推定された時間差と前記アップリンク閾値との間の比較に基づいて、前記無線デバイスの前記同期状態を決定するように構成された処理回路を有する、ネットワークノード。 
【請求項６２】
請求項６１に記載のネットワークノードであって、前記第１のnumerologyは、前記第１のアップリンク信号を動作させるために使用され、前記第２のnumerologyは、前記第２のアップリンク信号を動作させるために使用される、ネットワークノード。
【請求項６３】
請求項６１または６２に記載のネットワークノードであって、前記第１のネットワークノードと前記第２のネットワークノードは同じノードである、ネットワークノード。
【請求項６４】
請求項６１または６２に記載のネットワークノードであって、前記第１のネットワークノードと前記第２のネットワークノードは異なるノードである、ネットワークノード。
【請求項６５】
第１のnumerologyおよび第２のnumerologyに基づいて無線デバイスに対する同期状態を決定するために無線デバイスによって実行される方法であって、
前記無線デバイスと第１のネットワークノードおよび第２のネットワークノードとの間でそれぞれ交換された第１の信号と第２の信号との間の送信時間差を推定することと、
前記第１のnumerologyおよび前記第２のnumerologyに基づいて閾値を取得することと、 
前記推定された時間差と前記閾値との間の比較に基づいて、前記無線デバイスの前記同期状態を決定することを含む、方法。
【請求項６６】
請求項６５に記載の方法であって、前記第１の信号は前記第１のネットワークノードからの第１のダウンリンク信号であり、前記第２の信号は前記第２のネットワークノードからの第２のダウンリンク信号であり、前記送信時間差を推定することは、前記第１のネットワークノードから受信された第１のダウンリンク信号の受信と、前記第２のネットワークノードから受信された前記第２のダウンリンク信号の受信との間の時間差を推定することを含む、方法。
【請求項６７】
請求項６６に記載の方法であって、前記閾値を取得することは、ダウンリンク閾値を取得することを含む、方法。
【請求項６８】
請求項６５に記載の方法であって、前記第１の信号は第１のアップリンク信号であり、前記第２の信号は第２のアップリンク信号であり、前記送信時間差を推定することは、前記第１のアップリンク信号を前記第１のネットワークノードへ送信することと、前記第２のアップリンク信号を前記第２のネットワークノードへ送信することの時間差を推定することを含む、方法。
【請求項６９】
請求項６８に記載の方法であって、前記閾値を取得することは、アップリンク閾値を取得することを含む、方法。
【請求項７０】
データ送信に対して定義された、第１のnumerologyおよび第２のnumerologyに基づいて無線デバイスに対する同期状態を決定するための無線デバイスであって、
処理回路であって、
前記無線デバイスと第１のネットワークノードおよび第２のネットワークノードとの間でそれぞれ交換された第１の信号と第２の信号との間の送信時間差を推定し、
前記第１のnumerologyおよび前記第２のnumerologyに基づいて閾値を取得し、 
前記推定された時間差と前記閾値との間の比較に基づいて、前記無線デバイスの前記同期状態を決定するように構成された処理回路を有する無線デバイス。
【請求項７１】
請求項７０に記載の無線デバイスであって、前記第１の信号は前記第１のネットワークノードからの第１のダウンリンク信号であり、前記第２の信号は前記第２のネットワークノードからの第２のダウンリンク信号であり、前記送信時間差を推定することは、前記第１のネットワークノードから受信された第１のダウンリンク信号の受信と、前記第２のネットワークノードから受信された前記第２のダウンリンク信号の受信との間の時間差を推定することを含む、無線デバイス。
【請求項７２】
請求項７１に記載の無線デバイスであって、前記閾値を取得することは、ダウンリンク閾値を取得することを含む、無線デバイス。
【請求項７３】
請求項７０に記載の無線デバイスであって、前記第１の信号は第１のアップリンク信号であり、前記第２の信号は第２のアップリンク信号であり、前記送信時間差を推定することは、前記第１のアップリンク信号を前記第１のネットワークノードへ送信することと、前記第２のアップリンク信号を前記第２のネットワークノードへ送信することの時間差を推定することを含む、無線デバイス。
【請求項７４】
請求項７３に記載の無線デバイスであって、前記閾値を取得することは、アップリンク閾値を取得することを含む、無線デバイス。
【請求項７５】
データ送信に対して定義された、第１のnumerologyおよび第２のnumerologyに基づいて無線デバイスに対する同期状態を決定するためにネットワークノードによって実行される方法であって、
前記無線デバイスから、前記無線デバイスと第１のネットワークノードおよび第２のネットワークノードとの間でそれぞれ交換された第１の信号と第２の信号との間の推定された送信時間差を取得することと、
前記第１のnumerologyおよび前記第２のnumerologyに基づいて閾値を取得することと、
前記推定された時間差と前記閾値との間の比較に基づいて、前記無線デバイスの前記同期状態を決定することを含む、方法。 
【請求項７６】
請求項７５に記載の方法であって、前記第１の信号は前記第１のネットワークノードからの第１のダウンリンク信号であり、前記第２の信号は前記第２のネットワークノードからの第２のダウンリンク信号であり、前記送信時間差を推定することは、前記第１のネットワークノードから受信された第１のダウンリンク信号の受信と、前記第２のネットワークノードから受信された前記第２のダウンリンク信号の受信との間の時間差を推定することを含む、方法。
【請求項７７】
請求項７６に記載の方法であって、前記閾値を取得することは、ダウンリンク閾値を取得することを含む、方法。
【請求項７８】
請求項７５に記載の方法であって、前記第１の信号は第１のアップリンク信号であり、前記第２の信号は第２のアップリンク信号であり、前記送信時間差を推定することは、前記第１のアップリンク信号を前記第１のネットワークノードへ送信することと、前記第２のアップリンク信号を前記第２のネットワークノードへ送信することの時間差を推定することを含む、方法。
【請求項７９】
請求項７８に記載の方法であって、前記閾値を取得することは、アップリンク閾値を取得することを含む、方法。
【請求項８０】
データ送信に対して定義された、第１のnumerologyおよび第２のnumerologyに基づいて無線デバイスに対する同期状態を決定するためのネットワークノードであって、
処理回路であって、 
前記無線デバイスから、前記無線デバイスと第１のネットワークノードおよび第２のネットワークノードとの間でそれぞれ交換された第１の信号と第２の信号との間の推定された送信時間差を取得し、
前記第１のnumerologyおよび前記第２のnumerologyに基づいて閾値を取得し、
前記推定された時間差と前記閾値との間の比較に基づいて、前記無線デバイスの前記同期状態を決定するように構成された処理回路を有する、ネットワークノード。 
【請求項８１】
請求項８０に記載のネットワークノードであって、前記第１の信号は前記第１のネットワークノードからの第１のダウンリンク信号であり、前記第２の信号は前記第２のネットワークノードからの第２のダウンリンク信号であり、前記送信時間差を推定することは、前記第１のネットワークノードから受信された第１のダウンリンク信号の受信と、前記第２のネットワークノードから受信された前記第２のダウンリンク信号の受信との間の時間差を推定することを含む、ネットワークノード。
【請求項８２】
請求項８１に記載のネットワークノードであって、前記閾値を取得することは、ダウンリンク閾値を取得することを含む、ネットワークノード。
【請求項８３】
請求項８０に記載のネットワークノードであって、前記第１の信号は第１のアップリンク信号であり、前記第２の信号は第２のアップリンク信号であり、前記送信時間差を推定することは、前記第１のアップリンク信号を前記第１のネットワークノードへ送信することと、前記第２のアップリンク信号を前記第２のネットワークノードへ送信することの時間差を推定することを含む、ネットワークノード。
【請求項８４】
請求項８３に記載のネットワークノードであって、前記閾値を取得することは、アップリンク閾値を取得することを含む、ネットワークノード。
【発明の詳細な説明】
【技術分野】
【０００１】
本開示は、無線通信に関し、特に、numerology（ヌメロロジ―）に基づく無線ネットワークにおける同期動作と非同期動作との間の適合化のための方法、無線デバイスおよびネットワークノードに関する。
【背景技術】
【０００２】
［Ｎｅｗ  Ｒａｄｉｏ（ＮＲ）の構造］
ＮＲ（５Ｇまたは次世代としても知られる）の構造は、第３世代パートナーシッププロジェクト（３ＧＰＰ）において議論されており、現在の概念は図１に示されている。ここで、ｅＮＢはロングタームエボリューション（ＬＴＥ）ｅＮｏｄｅＢ１を表し、ｇＮＢはＮＲ基地局（ＢＳ）２（１つのＮＲ ＢＳは１つ以上の送信／受信ポイントに対応することができる）、およびノード（発展型パケットコア（ＥＰＣ）３と次世代コア（ＮｅｘｔＧｅｎ ｃｏｒｅ）４）間の線は、３ＧＰＰで議論されている対応するインタフェースを示す。更に、図２Ａ〜図２Ｄは、３ＧＰＰにおいて議論されているＮＲ  ＢＳを伴う展開シナリオを示す。例えば、図２Ａは、コア５が別々に配置されたＮＲ ＢＳ ２とＬＴＥ ｅＮＢ １とをサービスする非集中型構成を示す。図２Ｂは、ＮＲ ＢＳ２がｅＮＢ１と併置される構成を示す。図２Ｃは、ＮＲ ＢＳ２を上位レイヤ２−Ａと下位レイヤ２−Ｂに分割した構成である。図２Ｄは、異なる事業者がｇＮＢ２を共用するように、コア５−Ａ、５−Ｂおよび５−Ｃが異なる事業者によって運用される構成である。
【０００３】
［ＮＲ  Numerology］
ＬＴＥに関して、用語「numerology」は、例えば、以下の要素を含む。すなわち、フレーム期間、サブフレームまたは遷移時間間隔（ＴＴＩ）期間、スロット期間、サブキャリア間隔、リソースブロック当たりのサブキャリア数（ＲＢ）、帯域幅中のＲＢの数（異なるnumerologyは同じ帯域幅内の異なる数のＲＢをもたらすかもしれない）。
【０００４】
異なる無線アクセス技術（ＲＡＴ）におけるnumerology要素の正確な値は、通常、性能目標によって左右される。例えば、性能要件は、使用可能なサブキャリア間隔サイズに影響を与える。例えば、最大許容位相雑音およびスペクトルの遅い減衰（フィルタリングの複雑さと保護帯域のサイズに影響を与える）は、所与の搬送波周波数に対する最小サブキャリア帯域幅を設定し、必要なサイクリックプレフィックスは、所与の搬送波周波数に対する最大サブキャリア帯域幅を設定する。
【０００５】
しかしながら、既存のＲＡＴにおいてこれまで使用されてきたnumerologyは、かなり静的であり、典型的には無線デバイス（例えばユーザ装置（ＵＥ））によって、例えばＲＡＴへの１対１マッピング、周波数帯域、サービスタイプ（例えば、マルチメディアブロードキャストマルチキャストサービス（ＭＢＭＳ））等によって自明に導出することができる。
【０００６】
直交周波数分割多重（ＯＦＤＭ）ベースのＬＴＥダウンリンクでは、サブキャリア間隔は、通常のサイクルプレフィックス（ＣＰ）では１５ｋＨｚであり、拡張ＣＰでは１５ｋＨｚおよび７．５ｋＨｚ（すなわち、低減されたキャリア間隔）であり、後者はＭＢＭＳ専用キャリアでのみ許可されている。
【０００７】
複数のnumerology（multiple numerologies）のサポートは、同じまたは異なる無線デバイスの周波数および／または時間領域で多重化できるＮＲについて合意されている。
【０００８】
ＯＦＤＭに基づくことになるＮＲでは、一般的な動作のために複数のnumerologyがサポートされるであろう。ＮＲに対するサブキャリア間隔候補（１５ｋＨｚ、３０ｋＨｚ、６０ｋＨｚ等）を導出するために、スケーリングアプローチ（スケーリングファクタ２＾ｎ、ｎ ＝ １、２、…に基づく）が考慮される。numerology特有のサブフレーム期間は、サブキャリア間隔に基づいてミリ秒単位で決定することができる。（２ｍ×１５）ｋＨｚのサブキャリア間隔は、正確に１／２ｍミリ秒を与える。
【０００９】
ＮＲでは、最大９６０ｋＨｚのサブキャリア間隔が現在検討されている（最も高い値はミリ波ベースの技術に対応する）。同じＮＲキャリア帯域幅内で異なる複数のnumerologyを多重化することがサポートされ、周波数分割多重化（ＦＤＭ）および／または時分割多重化（ＴＤＭ）が考慮され得ることもまた合意された。更に、異なるnumerologyを使用する複数の周波数／時間部分が同期信号を共有することに同意した。ここで、同期信号は、信号自体と、同期信号を送信するのに使用される時間周波数リソースとを指す。更に別の合意は、非常に低いサブキャリア間隔は非常に高いキャリア周波数では使用されないと想定されるが、使用されるnumerologyは周波数帯域とは無関係に選択できることである。図３では、いくつかの候補キャリア間隔が周波数およびセル範囲に関して示されている。以下の表１において、いくつかの候補キャリア間隔についての対応する持続時間についての更なる詳細が提供される。
【００１０】
マルチキャリアまたはキャリアアグリゲーション（ＣＡ）動作では、無線デバイスは、２つ以上のサービングセルにデータを受信および／または送信することができる。キャリアアグリゲーション（ＣＡ）という用語は、「マルチキャリアシステム」、「マルチセル動作」、「マルチキャリア動作」、「マルチキャリア」送信および／または受信とも呼ばれる（例えば、互換的に呼ばれる）。ＣＡでは、コンポーネントキャリア（ＣＣ）のうちの１つは、プライマリコンポーネントキャリア（ＰＣＣ）、または単にプライマリキャリア、さらにはアンカーキャリアである。残りのものは、セカンダリコンポーネントキャリア（ＳＣＣ）または単にセカンダリキャリア、あるいは補助キャリアとさえ呼ばれる。サービングセルは、互換的にプライマリセル（ＰＣｅｌｌ）またはプライマリサービングセル（ＰＳＣ）とも呼ばれる。同様に、セカンダリサービングセルは、互換的にセカンダリセル（ＳＣｅｌｌ）またはセカンダリサービングセル（ＳＳＣ）とも呼ばれる。
【００１１】
デュアルコネクティビティ（ＤＣ）動作では、無線デバイスは少なくとも２つのノードによってサービスを受けることができる。１つはマスターｅＮＢ（ＭｅＮＢ）と呼ばれ、もう１つはセカンダリｅＮＢ（ＳｅＮＢ）と呼ばれる。一般に、多重接続（別名、マルチコネクティビティ）動作では、無線デバイスは、２つ以上のノード、例えば、ＭｅＮＢ、ＳｅＮＢ１、ＳｅＮＢ２などによってサービスが提供され得る。無線デバイスは、ＭｅＮＢとＳｅＮＢの両方からのＰＣＣを用いて構成される。ＭｅＮＢおよびＳｅＮＢからのＰＣｅｌｌは、それぞれＰＣｅｌｌおよびＰＳＣｅｌｌと呼ばれる。ＰＣｅｌｌおよびＰＳＣｅｌｌは無線デバイスを通常独立して動作させる。無線デバイスはまた、ＭｅＮＢおよびＳｅＮＢのそれぞれからの１つ以上のＳＣＣを用いて構成される。ＭｅＮＢおよびＳｅＮＢによってサービス提供される対応するセカンダリサービングセルはＳＣｅｌｌと呼ばれる。ＤＣにおける無線デバイスは、通常、ＭｅＮＢおよびＳｅＮＢとの接続のそれぞれに対して別々の送信器（ＴＸ）／受信器（ＲＸ）を有する。これにより、ＭｅＮＢおよびＳｅＮＢが、それぞれＰＣｅｌｌおよびＰＳＣｅｌｌでの無線リンク監視（ＲＬＭ）、不連続受信（ＤＲＸ）サイクル等の１つ以上の手順を用いて無線デバイスを独立して構成することが可能になる。方法および実施形態は、ＣＡ、ＤＣおよびマルチコネクティビティ（ＭＣ）の両方に適用可能である。
【００１２】
本明細書で使用される「シグナリング」という用語は、（例えば、無線リソース制御（ＲＲＣ）などを介した）上位レイヤシグナリング、（例えば、物理制御チャネルまたはブロードキャストチャネルを介した）下位レイヤシグナリング、またはそれらの組み合わせのいずれかを含み得る。シグナリングは暗黙的または明示的であり得る。シグナリングはさらにユニキャスト、マルチキャストまたはブロードキャストであり得る。シグナリングはまた、他のノードに直接に、または第３のノードを介してもよい。
【００１３】
本明細書で使用される時間リソースという用語は、時間の長さに関して表現された任意のタイプの物理リソースまたは無線リソースに対応し得る。時間リソースの例は、シンボル、タイムスロット、サブフレーム、無線フレーム、送信時間間隔（ＴＴＩ）、インターリーブ時間等である。
【００１４】
本明細書で使用される「柔軟なnumerology」という用語は、例えば、柔軟に構成することができ動的に変更することができる、サブキャリア間隔、ＲＢ当たりのサブキャリア数、帯域幅内のＲＢ数などのうちの任意の１つ以上を指す。
【００１５】
本明細書で使用される「無線測定」という用語は、無線信号に対して実行される任意の測定を指し得る。無線測定は絶対的または相対的であり得る。無線測定は、例えば周波数内、周波数間、ＣＡ等であり得る。無線測定は、単方向（例えば、ダウンリンク（ＤＬ）またはアップリンク（ＵＬ））または双方向（例えば、往復時間（ＲＴＴ）、Ｒｘ−Ｔｘ等）であり得る。無線測定のいくつかの例は、タイミング測定（たとえば到着時間（ＴＯＡ）、タイミングアドバンス、ＲＴＴ、基準信号時間差（ＲＳＴＤ）、ＳＳＴＤ、Ｒｘ−Ｔｘ、伝搬遅延など）、角度測定（たとえば到来角度）、電力ベースの測定（例えば、受信信号電力、基準信号受信電力（ＲＳＲＰ）、受信信号品質、基準信号受信品質（ＲＳＲＱ）、信号対干渉雑音比（ＳＩＮＲ）、信号対雑音比（ＳＮＲ）、チャネル状態情報（ＣＳＩ）、チャネル品質情報（ＣＱＩ）、プリコーディング行列インジケータ（ＰＭＩ）、干渉電力、総干渉と雑音、受信信号強度インジケータ（ＲＳＳＩ）、雑音電力等）、セル検出または識別、ビーム検出またはビーム識別、システム情報の読み取り、無線リンク監視（ＲＬＭ）等である。
【００１６】
［マルチキャリア動作］
キャリアアグリゲーション（ＣＡ）では、端末は、プライマリセル（ＰＣｅｌｌ）とも称されるＰＣＣ（またはセルまたはサービングセル）で構成される。ＰＣｅｌｌは、制御シグナリングがこのセル等でシグナリングされるという事実のため、特に重要である。また、無線デバイスはＰＣｅｌｌ上で無線品質の監視を実行する。ＣＡ対応端末は、上述のように、セカンダリセル（ＳＣｅｌｌ）と呼ばれる追加のキャリア（またはセルもしくはサービングセル）で構成することもできる。
【００１７】
デュアルコネクティビティ（ＤＣ）では、ＲＲＣ＿ＣＯＮＮＥＣＴＥＤ状態の無線デバイスは、マスターセルグループ（ＭＣＧ）とセカンダリセルグループ（ＳＣＧ）で構成されている。セルグループ（ＣＧ）は、それぞれＭｅＮＢまたはＳｅＮＢのいずれかに関連付けられたサービングセルのグループである。ＭＣＧとＳＣＧは次のように定義されている。ＭＣＧは、ＰＣｅｌｌと、オプション的に１つ以上のＳＣｅｌｌとを含む、ＭｅＮＢに関連付けられたサービングセルのグループである。ＳＣＧは、ｐＳＣｅｌｌ（プライマリＳＣｅｌｌ）と、オプション的に１つ以上のＳＣｅｌｌとを含む、ＳｅＮＢに関連付けられたサービングセルのグループである。
【００１８】
サービングセル管理は、ＳＣｅｌｌの（非）設定（別名、ＳＣｅｌｌ追加）、ＳＣｅｌｌの（非）起動、およびＤＣにおけるＰＳＣｅｌｌの設定および解除を制御するための媒体アクセス制御（ＭＡＣ）コマンドによって実行される。ＳＣｅｌｌは有効化または無効化することができるが、ＰＣｅｌｌは常に有効化されている。
【００１９】
［複数のタグ］
ＣＡで構成された無線デバイスは、ＰＣｅｌｌを含むｐＴＡＧである少なくとも１つのタイミングアドバンスグループ（ＴＡＧ）を用いて構成される。ｐＴＡＧはまた、１つ以上のＳＣｅｌｌを含み得る。
【００２０】
複数のタイミングアドバンスをサポートすることができる無線デバイスはまた、ｐＴＡＧに加えて、1つ以上のｓＴＡＧにおけるアップリンクを有する１つ以上のサービングセルで構成され得る。
【００２１】
デュアルコネクティビティサポートすることができる無線デバイスは、１つのｐＴＡＧで構成されなければならず、また１つのｐｓＴＡＧで構成されてもよい。ｐＴＡＧはＰＣｅｌｌを含み、構成されている場合は１つのＳＣｅｌｌも含み得る。ｐｓＴＡＧはＰＳＣｅｌｌを含み、構成されている場合は１つのＳＣｅｌも含み得る。ｐＴＡＧでは、無線デバイスはｐＴＡＧに対する無線デバイス送信タイミングを導出するための基準セルとしてＰＣｅｌｌを使用し、ｐｓＴＡＧでは、無線デバイスはｐｓＴＡＧに対する無線デバイス送信タイミングを導出するための基準セルとしてＰＳＣｅｌｌを使用する。
【００２２】
同じＴＡＧにおけるセルは、同じ基準タイミングを共有することができる。更に、ＴＡＧの少なくとも１つのサービングセルがアップリンクタイムアラインメント（時間調整）されている場合、同じグループに属する全てのサービングセルはこのタイミング調整値を使用することができる。
【００２３】
ＴＡＧは、ｅＮｏｄｅＢにより構成される。各ｓＴＡＧは、関連付けられたｓＴＡＧ ＩＤとタイムアライメントタイマー（ＴＡＴ）を有する。ＴＡＴは、ＴＡグループのサービングセルがランダムアクセスを実行するときに開始する、それによってその最初のＴＡ値が割り当てられる。その後、ＴＡグループによって使用されるＴＡ値が更新されるたびに、例えばＴＡコマンド（ＴＡＣ）の受信時にＴＡＴが再起動される。ＳＣｅｌｌは、関連付けられたＴＡＴが実行されているときにアップリンクタイムアラインメントされているとみなされ、それが有効化された場合、無線デバイス上で送信することができる。ＴＡＴが期限切れになると、そのＴＡＴに関連付けられたサービングセルはランダムアクセス要求を除いて無線デバイス送信を実行しないかもしれない。
【００２４】
［同期および非同期デュアルコネクティビティ動作］
ＤＣにおいて、無線デバイスにおいて受信されたＭｅＮＢおよびＳｅＮＢからの信号の最大受信タイミング差（Δｔ）の取り扱いは、無線デバイスの構造（アーキテクチャ）に依存する。これは、無線デバイス同期状態またはレベルに関して２つのケースのデュアルコネクティビティ（ＤＣ）動作、すなわち同期ＤＣ動作および非同期ＤＣ動作を生じさせる。同期ＤＣ動作および非同期ＤＣ動作はまた、互換的に同期ＤＣおよび非同期ＤＣとも呼ばれる。
【００２５】
本明細書における同期化動作は、ＭＣＧおよびＳＣＧに属するＣＣから無線デバイスで受信された信号間の受信時間差（Δｔ）がある閾値（例えば±３３μｓ）内であるという条件で無線デバイスがＤＣ動作を実行できることを意味する。一例として、本明細書における同期化された動作は、ＭＣＧおよびＳＣＧに属するＣＣのサブフレーム境界からの無線デバイスで受信された信号間の受信時間差（Δｔ）が、ある閾値（例えば±３３μｓ）内にあることを意味する。
【００２６】
本明細書における非同期動作は、無線デバイスがＭＣＧおよびＳＣＧに属するＣＣから無線デバイスで受信した信号間の受信時間差（Δｔ）に関係なく、すなわちΔｔの任意の値に対してＤＣ動作を実行できることを意味する。一例として、本明細書における非同期動作は、ＭＣＧおよびＳＣＧに属するＣＣのサブフレーム境界からの無線デバイスで受信された信号間の受信時間差（Δｔ）が任意の値（例えば、±３３μｓ以上、最大±０．５ｍｓ等の任意の値）であり得ることを意味する。
【００２７】
更に、無線デバイスはまた、少なくとも以下のＰＣｅｌｌとＰＳＣｅｌｌとの間の最大アップリンク送信タイミング差を処理することができる。
・無線デバイスが同期デュアルコネクティビティに対応している場合は、３５．２１μｓ
・無線デバイスが非同期デュアルコネクティビティに対応している場合は、〜５００μｓ
【００２８】
無線デバイスにおける最大受信タイミング差（Δｔ）は以下の構成要素を含む。
（１）相対伝搬遅延。これは、ＭｅＮＢとＳｅＮＢとの間の伝搬遅延の差として表される。
（２）ＭｅＮＢとＳｅＮＢのアンテナコネクタ間の同期レベルによる送信タイミング差。
（３）各ｅＮＢからの無線信号のマルチパス伝搬による遅延。
【００２９】
無線デバイスは、無線デバイスが同期および／または非同期のデュアルコネクティビティ動作が可能であるかどうかを示すその能力をネットワークノードにシグナリングする。能力情報は、デュアルコネクティビティ動作のために無線デバイスによってサポートされる各帯域または帯域の組み合わせに関連付けられる。例えば、無線デバイスは、それが周波数帯の組み合わせ（それぞれバンド１＋バンド３と、バンド７＋バンド８）に対して同期および非同期ＤＣ動作をサポートすることを示してもよい。この受信された無線デバイス能力情報に基づいて、ネットワークノードは、無線デバイスが特定の帯域または帯域の組み合わせに対して同期または非同期ＤＣ動作に構成されるべきかどうかを決定することができる。
以下の参考文献は、タイミング差に基づいて同期または非同期動作を決定することを論じている：国際公開番号ＷＯ ２０１５／１２２６９５、欧州特許出願番号ＥＰ ３０１８９５４、国際公開番号ＷＯ ２０１６／０８０８９９、および米国特許出願公開第２０１３／２７９４３４。
【発明の概要】
【００３０】
ＮＲでは、同じリンクの異なる時間リソースで、または動作に関連する異なるリンクで、異なるnumerologyを使用できる。動作の例は、マルチキャリア動作、２つ以上のリンクまたはセルにわたって行われる測位測定、例えば受信した時間差である。無線デバイスのマルチコネクティビティ動作は、同期または非同期とすることができる。また、測位測定は、同期または非同期とすることができるセルのペア上で実行することができる。しかしながら、そのような動作（例えば、マルチコネクティビティ動作）上の異なるnumerologyの影響は、定義されていない。特に、考えられるさまざまなnumerologyの下での無線デバイスの同期状態への影響は不明である。これらの制限および未定義の原理のために、ＮＲにおけるマルチコネクティビティ動作および／または測位等の動作を実行することができないか、または少なくともこれらの動作の性能が著しく低下することになる。
【００３１】
本開示の態様の特定の実施形態は、以下を含む１つ以上の技術的利点を提供し得る。
・異なるnumerologyを含むマルチコネクティビティ動作が強化される。
・異なるnumerologyを含むマルチコネクティビティ動作下の無線デバイスの同期状態が、明確に定義される。
【００３２】
特定の実施形態は、上記の利点のうちのいくつか、すべて、または全くないことがある。他の利点は当業者に明らかであろう。
【００３３】
いくつかの実施形態は、第１のnumerologyおよび第２のnumerologyに基づいて無線デバイスに対する同期状態を決定するために無線デバイスによって実行される方法を含む。方法は、第１のネットワークノードから受信された第１のダウンリンク信号の受信と第２のネットワークノードから受信された第２のダウンリンク信号の受信との間の時間差を推定することを含む。方法は更に、第１のnumerologyおよび第２のnumerologyに基づいて第１のダウンリンク閾値を取得することを含む。方法はまた、推定された時間差と第１のダウンリンク閾値との間の比較に基づいて、無線デバイスの同期状態を決定することを含む。
【００３４】
別の実施形態によれば、いくつかの実施形態は、第１のnumerologyおよび第２のnumerologyに対する同期状態を決定するように構成された無線デバイスを含む。無線デバイスは、通信インタフェースを有する。無線デバイスはまた、第１のネットワークノードから受信された第１のダウンリンク信号の受信と第２のネットワークノードから受信された第２のダウンリンク信号の受信との間の時間差を推定するように構成される処理回路を有する。処理回路はまた、第１のnumerologyおよび第２のnumerologyに基づいて第１のダウンリンク閾値を取得するように構成される。処理回路はまた、推定された時間差と第１のダウンリンク閾値との間の比較に基づいて、無線デバイスの同期状態を決定するように構成される。
【００３５】
いくつかの実施形態では、第１のnumerologyおよび第２のnumerologyに基づいて無線デバイスに対する同期状態を決定するためにネットワークノードによって実行される方法が提供される。方法は、無線デバイスから、第１のネットワークノードから受信された第１のダウンリンク信号の無線デバイスによる受信と第２のネットワークノードから受信された第２のダウンリンク信号の無線デバイスによる受信との間の推定された時間差を取得することを含む。方法は更に、第１のnumerologyおよび第２のnumerologyに基づいて第１のダウンリンク閾値を取得することを含む。方法はまた、推定された時間差と第１のダウンリンク閾値との間の比較に基づいて、無線デバイスの同期状態を決定することを含む。
【００３６】
いくつかの実施形態では、第１のnumerologyおよび第２のnumerologyに基づいて無線デバイスに対する同期状態を決定するように構成されたネットワークノードが提供される。ネットワークノードは、無線デバイスから、第１のネットワークノードから受信された第１のダウンリンク信号の無線デバイスによる受信と第２のネットワークノードから受信された第２のダウンリンク信号の無線デバイスによる受信との間の推定された時間差を取得し、第１のnumerologyおよび第２のnumerologyに基づいて第１のダウンリンク閾値を取得するように構成された通信インタフェースを有する。ネットワークノードはまた、推定された時間差と第１のダウンリンク閾値との間の比較に基づいて、無線デバイスの同期状態を決定するように構成された処理回路を有する。
【００３７】
いくつかの実施形態では、第１のnumerologyおよび第２のnumerologyに基づいて無線デバイスに対する同期状態を決定するために無線デバイスによって実行される方法が提供される。方法は、無線デバイスにより送信された第１のアップリンク信号の送信時間と、前記無線デバイスにより送信された第２のアップリンク信号の送信時間との間の時間差を推定することを含む。方法はまた、第１のnumerologyおよび第２のnumerologyに基づいて第１のアップリンク閾値を取得することを含む。方法は更に、推定された時間差と第１のアップリンク閾値との間の比較に基づいて、無線デバイスの同期状態を決定することを含む。
【００３８】
いくつかの実施形態では、第１のnumerologyおよび第２のnumerologyに基づいて無線デバイスに対する同期状態を決定するように構成された無線デバイスが提供される。方法は、無線デバイスにより送信された第１のアップリンク信号の送信時間と、無線デバイスにより送信された第２のアップリンク信号の送信時間との間の時間差を推定するように構成された処理回路を有する。処理回路はまた、第１のnumerologyおよび第２のnumerologyに基づいて第１のアップリンク閾値を取得し、推定された時間差と第１のアップリンク閾値との間の比較に基づいて無線デバイスの同期状態を決定するように構成される。
【００３９】
いくつかの実施形態では、第１のnumerologyおよび第２のnumerologyに基づいて無線デバイスに対する同期状態を決定するためにネットワークノードによって実行される方法が提供される。方法は、無線デバイスから、第１のアップリンク信号の送信と第２のアップリンク信号の送信との間の推定された時間差を取得することを含む。方法はまた、第１のnumerologyおよび第２のnumerologyに基づいて第１のアップリンク閾値を取得することを含む。方法また、推定された時間差と第１のアップリンク閾値との間の比較に基づいて、無線デバイスの同期状態を決定することを含む。
【００４０】
いくつかの実施形態では、第１のnumerologyおよび第２のnumerologyに基づいて無線デバイスに対する同期状態を決定するように構成されたネットワークノードが提供される。ネットワークノードは、無線デバイスから、第１のアップリンク信号の送信と第２のアップリンク信号の送信との間の推定された時間差を取得するように構成された処理回路を有する。処理回路は更に、第１のnumerologyおよび第２のnumerologyに基づいて第１のアップリンク閾値を取得し、推定された時間差と第１のアップリンク閾値との間の比較に基づいて無線デバイスの同期状態を決定するように構成される。
【００４１】
いくつかの実施形態では、データ送信に対して定義された、第１のnumerologyおよび第２のnumerologyに基づいて無線デバイスに対する同期状態を決定するために無線デバイスによって実行される方法が提供される。方法は、無線デバイスと第１のネットワークノードおよび第２のネットワークノードとの間でそれぞれ交換された第１の信号と第２の信号との間の送信時間差を推定することを含む。方法はまた、第１のnumerologyおよび第２のnumerologyに基づいて閾値を取得することを含む。方法はまた、推定された時間差と閾値との間の比較に基づいて、無線デバイスの同期状態を決定することを含む。
【００４２】
いくつかの実施形態では、データ送信に対して定義された、第１のnumerologyおよび第２のnumerologyに基づいて無線デバイスに対する同期状態を決定するための無線デバイスが提供される。無線デバイスは、無線デバイスと第１のネットワークノードおよび第２のネットワークノードとの間でそれぞれ交換された第１の信号と第２の信号との間の送信時間差を推定するように構成された処理回路を有する。処理回路はまた、第１のnumerologyおよび第２のnumerologyに基づいて閾値を取得し、推定された時間差と閾値との間の比較に基づいて無線デバイスの同期状態を決定するように構成される。
【００４３】
いくつかの実施形態では、データ送信に対して定義された、第１のnumerologyおよび第２のnumerologyに基づいて無線デバイスに対する同期状態を決定するためにネットワークノードによって実行される方法が提供される。方法は、無線デバイスから、無線デバイスと第１のネットワークノードおよび第２のネットワークノードとの間でそれぞれ交換された第１の信号と第２の信号との間の推定された送信時間差を取得することと、第１のnumerologyおよび第２のnumerologyに基づいて閾値を取得することと、推定された時間差と閾値との間の比較に基づいて無線デバイスの同期状態を決定することを含む。
【図面の簡単な説明】
【００４４】
本実施形態、ならびにそれに付随する利点および特徴のより完全な理解は、添付の図面と併せて考慮すると、以下の詳細な説明を参照することによってより容易に理解されるであろう。
【図１】図１は、ＮＲアーキテクチャの図である。
【図２Ａ】図２Ａは、ＮＲ基地局を有する配置シナリオの図である。
【図２Ｂ】図２Ｂは、ＮＲ基地局を有する配置シナリオの図である。
【図２Ｃ】図２Ｃは、ＮＲ基地局を有する配置シナリオの図である。
【図２Ｄ】図２Ｄは、ＮＲ基地局を有する配置シナリオの図である。
【図３】図３は、ＮＲに対する例示的なサブキャリア間隔候補構成の図である。
【図４】図４は、本明細書で記載される原理に従って第１のnumerologyおよび第２のnumerologyに基づいて無線デバイスに対する同期状態を決定するための例示的な無線デバイスを示す。
【図５】図５は、本明細書で記載される原理に従って、第１のnumerologyおよび第２のnumerologyに基づいて無線デバイスに対する同期状態を決定するために無線デバイスによって実行される例示的な処理のフローチャートである。
【図６】図６は、本明細書で記載される原理に従って、第１のnumerologyおよび第２のnumerologyに基づいて無線デバイスに対する同期状態を決定するための例示的なネットワークノードを示す。
【図７】図７は、本明細書で記載される原理にしたがって、第１のnumerologyおよび第２のnumerologyに基づいて無線デバイスに対する同期状態を決定するためにネットワークノードによって実行される例示的な処理のフローチャートである。
【図８】図８は、本明細書で記載される原理に従って、第１のnumerologyおよび第２のnumerologyに基づいて無線デバイスに対する同期状態を決定するための別の例示的な無線デバイスを示す。
【図９】図９は、本明細書で記載される原理に従って、第１のnumerologyおよび第２のnumerologyに基づいて無線デバイスに対する同期状態を決定するための別の例示的なネットワークノードを示す。
【図１０】図１０は、第１のnumerologyおよび第２のnumerologyに基づいて無線デバイスに対する同期状態を決定するために無線デバイスによって実行される別の例示的な処理のフローチャートである。
【図１１】図１１は、第１のnumerologyおよび第２のnumerologyに基づいて無線デバイスに対する同期状態を決定するためにネットワークノードによって実行される別の例示的な処理のフローチャートである。
【図１２】図１２は、第１のnumerologyおよび第２のnumerologyに基づいて無線デバイスに対する同期状態を決定するために無線デバイスによって実行される別の例示的な処理のフローチャートである。
【図１３】図１３は、無線デバイスの同期状態を決定するためのネットワークノードにより実行される例示的な処理のフローチャートである。
【発明を実施するための形態】
【００４５】
本開示では例として第３世代パートナーシッププロジェクト（３ＧＰＰ）からの用語、すなわちロングタームエボリューション（ＬＴＥ）を使用しているが、これは本開示の範囲を前述のシステムのみに限定するものと見なすべきではない。ＮＲ（すなわち５Ｇ）、広帯域符号分割多元接続（ＷＣＤＭＡ）、ＷｉＭａｘ、ウルトラモバイルブロードバンド（ＵＭＢ）、および移動体通信システムのためのグローバルシステム（ＧＳＭ）を含む他の無線システムもまた、本開示内に含まれる概念および方法を利用することから利益を得る。
【００４６】
ｅＮｏｄｅＢおよび無線デバイスなどの用語は非限定的であると見なされるべきであり、特にその２つの間の特定の階層的関係を暗示するものではないことにも留意されたい。一般に、「ｅＮｏｄｅＢ」はデバイス１、および「無線デバイス」はデバイス２と見なすことができ、これら２つのデバイスはある無線チャネルを介して互いに通信する。また、本開示はダウンリンクにおける無線送信に焦点を合わせているが、実施形態はアップリンクにおいても同様に適用可能である。
【００４７】
本明細書で使用される「無線デバイス」という用語は、セルラーまたはモバイル通信システム内のネットワークノードおよび／または別の無線デバイスと通信する任意のタイプの無線デバイスを指すことがある。無線デバイスの例は、ユーザ機器（ＵＥ）、ターゲットデバイス、デバイス・ツー・デバイス（Ｄ２Ｄ）無線デバイス、マシンタイプ無線デバイス、またはマシン・ツー・マシン（Ｍ２Ｍ）通信が可能な無線デバイス、ＵＥを備えたセンサ、ＰＤＡ、ｉＰＡＤ、タブレット、携帯端末、スマートフォン、ラップトップ内蔵機器（ＬＥＥ）、ラップトップ搭載機器（ＬＭＥ）、ＵＳＢドングル、コンピュータ宅内機器（ＣＰＥ）等である。
【００４８】
本明細書で使用される「ネットワークノード」という用語は、無線ネットワークノードまたは別のネットワークノード、たとえばコアネットワークノード、ＭＳＣ、ＭＭＥ、Ｏ＆Ｍ、ＯＳＳ、ＳＯＮ、測位（ポジショニング）ノード（例えばＥ−ＳＭＬＣ）、ＭＤＴノードなどを指すことがある。
【００４９】
本明細書で使用される「ネットワークノード」または「無線ネットワークノード」という用語は、基地局（ＢＳ）、無線基地局、基地トランシーバ局（ＢＴＳ）、基地局コントローラ（ＢＳＣ）、無線ネットワーク制御装置（ＲＮＣ）、ｇノードＢ（ｇＮＢ）、発展型ノードＢ（ｅＮＢまたはｅＮｏｄｅＢ）、ノードＢ、ＭＳＲ ＢＳのようなマルチスタンダード無線（ＭＳＲ）無線ノード、マルチセル／マルチキャストコーディネーションエンティティ（ＭＣＥ）、リレーノード、リレーを制御するドナーノード、無線アクセスポイント（ＡＰ）、送信ポイント、送信ノード、リモート無線ユニット（ＲＲＵ）リモートラジオヘッド（ＲＲＨ）、コアネットワークノード（モバイル管理など）エンティティ（ＭＭＥ）、自己組織化ネットワーク（ＳＯＮ）ノード、調整ノード、測位ノード、ＭＤＴノードなど）、外部ノード（例えば、サードパーティノード、現在のネットワークの外部のノード）、分散ノードアンテナシステム（ＤＡＳ）等のいずれかを更に含むことができる無線ネットワークに含まれる任意の種類のネットワークノードであり得る。ネットワークノードはまた試験装置を含むことができる。本明細書で使用される「無線ノード」という用語は、ＵＥまたは無線ネットワークノードなどの無線デバイスも指すために使用されることがある。
【００５０】
更に、無線デバイスまたはネットワークノードによって実行されるものとして本明細書で説明されている機能は、複数の無線デバイスおよび／またはネットワークノードにわたって分散され得る。言い換えれば、本明細書に記載のネットワークノードおよび無線デバイスの機能は、単一の物理デバイスによる性能に限定されず、実際には、いくつかの物理デバイスに分散させることができると考えられる。
【００５１】
例示的な実施形態を詳細に説明する前に、実施形態は、主に、numerologyに基づく無線ネットワークにおける同期動作と非同期動作との間の適合化に関する装置構成要素および処理ステップの組み合わせにあることに留意されたい。したがって、本明細書の記載の利点を有する当業者には容易に明らかとなる詳細で本開示を曖昧にしないように、実施形態の理解に関連する特定の詳細のみを示して、構成要素は適宜図面中の従来の記号によって表されている。
【００５２】
本明細書で使用するとき、「第１」および「第２」、「上部」および「下部」などの関係用語は、あるエンティティまたは要素を別のエンティティまたは要素と区別するためにのみ、そのようなエンティティまたは要素間の物理的または論理的な関係または順序を必ずしも必要とすることも暗示することもなく、使用され得る。
【００５３】
いくつかの実施形態では、本開示は、同期および／または非同期動作のサポートに関連する無線デバイスの能力（機能）に関する情報（例えば、マルチコネクティビティ、キャリアアグリゲーション、測位等）を別のノードに示す無線デバイスを提供する。一実施形態では、このプロセスは処理におけるオプションのステップである。次のステップにおいて、無線デバイスは、無線デバイスにおいて第１のネットワークノード（ＮＷ１）から受信された第１のダウンリンク信号（ＤＬＳ１）と、無線デバイスにおいて第２ネットワークノード（ＮＷ２）から受信された第２のダウンリンク信号（ＤＬＳ２）との間の受信時間差（ΔＴｒ）を推定する。一実施形態では、ＮＷ１とＮＷ２は同じであり得る。別の実施形態では、ＮＷ１とＮＷ２は異なり得る。
【００５４】
次のステップにおいて、無線デバイスは、それぞれＤＬＳ１およびＤＬＳ２を動作させるために使用される少なくとも１つの第１のnumerology（Ｎ１）および少なくとも１つの第２のnumerology（Ｎ２）を決定する。次のステップにおいて、無線デバイスは、決定されたＮ１とＮ２に基づいて、第１のダウンリンク閾値（Ｇ１）を取得する。次のステップにおいて、無線デバイスは、ΔＴｒとＧ１との間の関係に基づいて、無線デバイスの同期状態を決定する。オプション的に、無線デバイスは、１つ以上の動作タスクに対する無線デバイスの決定された同期状態を使用し得る。
【００５５】
以下では、上に提示された各ステップをより詳細に説明する。第１の（オプションの）ステップでは、無線デバイスは、他のノード（例えば、無線ネットワークノード、コアネットワークノード、測位ノードなどのネットワークノード）に、同期および／または非同期マルチコネクティビティに関する無線デバイスの能力についての情報を指示することができる。指示された無線デバイスの能力は、柔軟なnumerologyシナリオの下で同期および／または非同期マルチコネクティビティを動作させるための無線デバイスの能力を更に含み得る。この能力は、他のノード（すなわち、ｅＮＢなどのネットワークノード）からの要求に応じて、または例えばトリガーイベント、条件に応じて、または他のノードからのメッセージの受信などに応答して、一方的な方法で送信され得る。
【００５６】
次のステップにおいて、無線デバイスは、第１のネットワークノード（ＮＷ１）から受信された第１のダウンリンク信号（ＤＬＳ１）と、第２ネットワークノード（ＮＷ２）から受信された第２のダウンリンク信号（ＤＬＳ２）との間の受信時間差（ΔＴｒ）を推定する。ＤＬＳ１とＤＬＳ２は、第１のセル（セル１）と第２のセル（セル２）において受信され得る。セル１とセル２は、ＮＷ１とＮＷ２によりそれぞれ運用される。セル１とセル２はまた、無線デバイスのサービングセルであり得る。一例では、ＮＷ１とＮＷ２は同じノードであり得る。別の例では、ＮＷ１とＮＷ２は異なるノードであり、同じ場所に設置されても、同じ場所に配置されても、または同じ場所に配置されなくてもよい。ΔＴｒの推定は、１つ以上の時間リソース（例えば、１つのサブフレームまたは複数のサブフレーム）を含み得る推定期間（Ｔｄ）にわたって実行され得る。ΔＴｒの推定は更に、Ｔｄ以内に無線デバイスによって取得された１つ以上のサンプルまたはスナップショットを含み得る。
【００５７】
本明細書における推定という用語は、互換的に、計算、測定または決定と呼ばれることがある、同様に、推定期間は、互換的に、測定期間、計算期間等と呼ばれることがある。
【００５８】
ΔＴｒの推定は、特定の時間リソースの境界間で実行されてもよい。特定の時間リソースは、例えば、
・特定の種類（例えばサブフレーム）、
・使用されるnumerologyを考慮して、予め定義された規則に基づいて決定される（例えば、ＤＬＳ１のサブキャリア間隔がＤＬＳ２のそれより小さい場合、ＤＬＳ１に関連付けられた時間リソースと、条件［例えば、偶数またはｍｏｄ（ＩＤ，ｎ）＝０、ここでｎは整数であり、例えばｎ ＝ ２］を満たす数またはＩＤを持つ最も近い時間リソースとの間）、
・別のノードから受信された指示またはメッセージに基づいて決定される、等である。
【００５９】
時間リソース（例えば、サブフレームまたはスロット）は、同じ絶対長（ただし、異なる複数のnumerologyによる、サブフレーム内の異なる時間リソース粒度）または異なる絶対長であり得る。
【００６０】
例えば、ΔＴｒは、それぞれＤＬＳ１およびＤＬＳ２を送信するＮＷ１およびＮＷ２のＤＬサブフレームの開始の間に無線デバイスによって推定され得る。別の例では、ΔＴｒは、それぞれＤＬＳ１およびＤＬＳ２を送信するＮＷ１およびＮＷ２のＤＬフレームの開始の間に無線デバイスによって推定され得る。
【００６１】
無線デバイスは更に、第１のネットワークノード（ＮＷ１）により動作される第１のセル（セル１）における無線デバイスにより送信される第１のアップリンク信号（ＵＬＳ１）と、第２のネットワークノード（ＮＷ２）により動作される第２のセル（セル２）における無線デバイスにより送信される第２のアップリンク信号（ＵＬＳ２）との間の送信時間差（ΔＴｒ）を推定することを含み得る。ＵＬＳ１とＵＬＳ２は、第１のセル（セル１）と第２のセル（セル２）において送信され得る。別の例では、ＵＬＳ１とＵＬＳ２は、別のセットのセル、第３のセル（セル３）と第４のセル（セル４）において無線デバイスにより送信され得る。セル３とセル４は、ＮＷ１とＮＷ２によりそれぞれ動作され得る。セル３とセル４はまた、無線デバイスのサービングセルであり得る。ΔＴｔの値は、セル３およびセル４にそれぞれ属する時間リソース（たとえば、スロットまたはサブフレームなど）の開始境界間で推定され得る。ΔＴｔの値はまた、ＴＡＧ間の時間差、すなわちセル３とセル４をそれぞれ含むＴＡＧ１とＴＡＧ２の間の時間差とも呼ばれる。
【００６２】
ΔＴｔの推定は、１つ以上の複数の時間リソース（例えば、１つのサブフレームまたは複数のサブフレーム）を含み得る推定期間（Ｔｕ）にわたって実行され得る。ΔＴｔの推定はさらに、Ｔｕ以内に無線デバイスによって取得された１つ以上のサンプルまたはスナップショットを含み得る。
【００６３】
セル１とセル２は、キャリア周波数＃１（Ｆ１）とキャリア周波数＃２（Ｆ２）を使用して動作され得る。
【００６４】
セル１とセル２はまた、それぞれＤＬにおいてキャリア周波数＃１（Ｆ１）およびキャリア周波数＃２（Ｆ２）を使用し、それぞれキャリア周波数＃３（Ｆ３）およびキャリア周波数＃４（Ｆ４）を使用して動作され得る。
【００６５】
例示的な一実施態様では、Ｆ１とＦ２は同じであり得る。別の実施形態では、Ｆ１とＦ２は異なり得る。
【００６６】
例示的な一実施態様では、Ｆ３とＦ４は同じであり得る。別の実施形態では、Ｆ３とＦ４は異なり得る。
【００６７】
ＤＬＳ１とＤＬＳ２は、ＮＷ１とＮＷ２によりそれぞれnumerology＃１（Ｎ１）とnumerology＃２（Ｎ２）を用いて送信され得る。
【００６８】
ＵＬＳ１とＵＬＳ２はまた、無線デバイスによりそれぞれnumerology＃１（Ｎ１）とnumerology＃２（Ｎ２）を用いて送信され得る。
【００６９】
更に別の例では、ＵＬＳ１とＵＬＳ２は、無線デバイスによりそれぞれnumerology＃３（Ｎ３）とnumerology＃４（Ｎ４）を用いて送信され得る。
【００７０】
例示的な一実施態様では、Ｎ１とＮ２は同じであり得る。別の実施形態では、Ｎ１とＮ２は異なり得る。
【００７１】
また、例示的な一実施態様では、Ｎ３とＮ４は同じであり得る。別の実施形態では、Ｎ３とＮ４は異なり得る。
【００７２】
次のステップにおいて、無線デバイスは、それぞれＤＬＳ１およびＤＬＳ２を動作させるために使用される少なくとも１つの第１のnumerology（Ｎ１）および少なくとも１つの第２のnumerology（Ｎ２）に関する情報を決定し得る。無線デバイスは更に、同じセルまたはリンクにおいてＤＬＳ１を送信するために使用される複数のnumerology、例えば同じセル内の異なる時間リソースで使用される異なるnumerologyに関連する情報を決定することができる。無線デバイスは更に、同じセルまたはリンクにおいてＤＬＳ２を送信するために使用される複数のnumerology、例えば同じセル内の異なる時間リソースで使用される異なるnumerologyに関連する情報を決定することができる。無線デバイスは更に、それぞれＵＬＳ１およびＵＬＳ２を動作させるために使用される少なくとも１つの第１のnumerology（Ｎ３）および少なくとも１つの第２のnumerology（Ｎ４）に関する情報を決定し得る。無線デバイスは、無線デバイスに記憶された情報、ネットワークノードから受信された指示、無線デバイス等によって実行された無線測定などのうちの１つ以上に基づいて、numerologyを決定し得る。numerologyに関する情報は、例えば、サブキャリア間隔、時間リソース長、ＣＰ長等を含み得る。
【００７３】
次のステップにおいて、無線デバイスは、決定されたＮ１とＮ２についての情報に基づいて、第１のダウンリンク閾値（Ｇ１）を取得し得る。閾値Ｇ１は、セル１とセル２に関する無線デバイスの同期および非同期の動作の間の境界を定義する。いくつかの実施形態では、Ｎ１とＮ２は同じであり得る（すなわち、Ｎ１＝Ｎ２）。
Ｇ１＝ｆ（Ｎ１，Ｎ２）        （１）
【００７４】
無線デバイスは更に、Ｎ１とＮ２についての決定された情報に基づいて第２のダウンリンク閾値（Ｇ２）を決定し得る。閾値Ｇ２は、無線デバイスが処理できる最大受信時間差、例えば無線デバイスの非同期動作下での最大ΔＴｒの大きさを定義する。
Ｇ２＝ｆ（Ｎ１，Ｎ２）      （２）
【００７５】
関数の例は以下の通りである。すなわち、２つのnumerologyうちの同じ種類の最小時間単位の特定の分数（例えば半分）。
【００７６】
上記において、ＮＷ１とＮＷ２の少なくとも１つによって２つ以上のnumerologyが使用される場合、Ｎ１および／またはＮ２は、それぞれＮＷ１およびＮＷ２において最大のサブキャリア間隔を有するnumerologyに対応する予め定義された規則、例えばＮ１およびＮ２に基づいて、ＮＷ１および／またはＮＷ２によって使用される複数のnumerologyから選択され得る。同じ原理がＮ３とＮ４に対して適用され得る。
【００７７】
セル１およびセル２においてそれぞれ使用されるＮ１およびＮ２の関数としてのＧ１およびＧ２の大きさの例を以下のテーブル（表）１に示す。
【００７８】
テーブル１：セル１のダウンリンクおよびセル２のダウンリンクにおいて使用されるnumerologyの関数としての閾値、Ｇ１およびＧ２、の大きさ。Ｘ１、Ｙ１、およびＺ１の値は、セル１のＤＬおよびセル２のＤＬで使用される複数のnumerologyの異なる組み合わせに対して、ＵＥが同期動作の下で処理できる受信時間差の大きさに対応する。Ｘ２、Ｙ２、およびＺ２の値は、セル１のＤＬおよびセル２のＤＬで使用される複数のnumerologyの異なる組み合わせに対して、ＵＥが非同期動作の下で処理できる受信時間差の大きさに対応する。
2019533924.tif 000003
【００７９】
セル１およびセル２においてそれぞれ使用されるサブキャリア間隔の関数としてのＧ１およびＧ２の大きさの具体例を、以下のテーブル２に示す。テーブル２に示されるように、セルにおいて使用されるより大きいサブキャリア間隔は、より小さい値のＧ１およびＧ２をもたらす。これは、より大きなサブキャリア間隔が短いリソース期間（例えば、スロット、サブフレームなど）をもたらすためである。ΔＴｒの値は、時間リソースの期間（例えばスロット期間）も小さい場合、時間リソースの境界間（例えばスロット間）で推定され、より小さい最大値のＧ１またはＧ２となる。
【００８０】
テーブル２：セル１のダウンリンクおよびセル２のダウンリンクにおいて使用されるnumerologyの関数としての閾値、Ｇ１およびＧ２、の大きさ。
2019533924.tif 000004
【００８１】
無線デバイスは更に、セル１とセル２の無線デバイスにおいて使用されるＮ３とＮ４についての決定された情報に基づいて、第１のダウンリンク閾値（Ｈ１）を決定し得る。いくつかの実施形態では、Ｎ３とＮ４は、それぞれＮ１とＮ２であり得る。一実施形態では、Ｎ３とＮ４は同じであり得る（すなわち、Ｎ３＝Ｎ４）。
【００８２】
閾値Ｈ１は、アップリンクにおけるセル１とセル２に関する、無線デバイスの同期動作に対する第１のＴＡグループ（ＴＡＧ１）と第２のＴＡグループ（ＴＡＧ２）との間のアップリンク送信時間差（ΔＴｒ）の最大値を定義する。セル１とセル２は、ＴＡＧ１とＴＡＧ２にそれぞれ属する。ΔＴｔはまた、セル１とセル２、例えば、ＰＣｅｌｌとＰＳＣｅｌｌとの間の最大アップリンク送信時間差としても知られる。
Ｈ１＝ｆ（Ｎ３，Ｎ４）      （３）
【００８３】
無線デバイスは更に、Ｎ３とＮ４についての決定された情報に基づいて第２のアップリンク閾値（Ｈ２）を決定し得る。閾値Ｈ２は、セル１とセル２に関する、無線デバイスの非同期動作に対する第１のＴＡグループ（ＴＡＧ１）と第２のＴＡグループ（ＴＡＧ２）との間のアップリンク送信時間差の最大値、例えば、無線デバイスの非同期動作下における最大ΔＴｔの大きさ、を定義する。
Ｈ２＝ｆ（Ｎ３，Ｎ４）      （４）
【００８４】
セル１の無線デバイスとセル２のＵＬにおいてそれぞれ使用されるＮ３およびＮ４の関数としてのＨ１およびＨ２の大きさの例を以下のテーブル３に示す。
【００８５】
テーブル３：セル１のアップリンクおよびセル２のアップリンクにおいて使用されるnumerologyの関数としての閾値、Ｈ１およびＨ２、の大きさ。Ａ１、Ｂ１、およびＣ１の値は、セル１のＤＬおよびセル２のＤＬで使用される複数のnumerologyの異なる組み合わせに対する、ＵＥが同期動作の下で処理できるアップリンク送信時間差の大きさに対応する。Ａ２、Ｂ２、およびＣ２の値は、セル１のＤＬおよびセル２のＤＬで使用される複数のnumerologyの異なる組み合わせに対する、ＵＥが非同期動作の下で処理できるＴＡＧ間のアップリンク送信時間差の大きさに対応する。
2019533924.tif 000005
【００８６】
セル１におけるＵＬ送信に対する無線デバイスおよびセル４におけるＵＬ送信に対する無線デバイスによりそれぞれ使用されるサブキャリア間隔の関数としてのＨ１およびＨ２の大きさの具体例を、以下のテーブル４に示す。テーブル４に示されるように、セル内で使用されるより大きいサブキャリア間隔は、より小さい値のＨ１およびＨ２をもたらす。ΔＴｔの値は、時間リソースの期間（例えばスロット期間）も小さい場合、時間リソースの境界間（例えばスロット間）で推定され、より小さい最大値のＨ１またはＨ２となる。
【００８７】
テーブル４：セル１におけるＵＬ送信およびセル２におけるＵＬ送信に対する無線デバイスにより使用されるサブキャリアの関数としての閾値、Ｈ１およびＨ２、の大きさ。
2019533924.tif 000006
【００８８】
無線デバイスは、以下のメカニズムのうちの１つ以上に基づいて、閾値パラメータＧ１、Ｇ２、Ｈ１、およびＨ２のうちのいずれかを決定することができる。
‐予め定義されたルール。例えば、予め定義されたマッピングテーブル１、２、３、４、
‐別の無線デバイスおよび／またはネットワークノード等のノードから受信された情報、
‐履歴または統計、
‐最近使用された値。例えば、無線デバイスのメモリに格納された最近の値。
【００８９】
別のステップでは、無線デバイスはΔＴｒの推定値を少なくともＧ１の決定値と比較し、この比較に基づいて無線デバイスはセル１およびセル２に対する無線デバイス動作の同期状態を決定する。同期状態は、セル１およびセル２に関して無線デバイスが同期状態にあるか非同期状態にあるかを示し得る。例えば、無線デバイスは、
‐Ｇ１の大きさがΔＴｒの大きさより大きくない場合、無線デバイスは同期モードで動作している。
‐それ以外の場合（すなわち、ΔＴｒ＞Ｇ）、無線デバイスは非同期モードで動作している。
【００９０】
無線デバイスが非同期状態で動作していると決定された場合、無線デバイスは更に、ΔＴｒの最大値の大きさがＧ２を超えないことを保証する。
【００９１】
無線デバイスが上述のように同期モードで動作する場合、無線デバイスは更に、推定されたΔＴｔの値を少なくともＨ１の決定された値と比較して、無線デバイスが同期動作の下でΔＴｔの最大可能値を処理できることを保証する。
【００９２】
無線デバイスが上述のように非同期モードで動作する場合、無線デバイスは更に、推定されたΔＴｔの値を少なくともＨ２の決定された値と比較して、無線デバイスが非同期動作の下でΔＴｔの最大可能値を処理できることを保証する。
【００９３】
無線デバイスに対するオプションのステップであり得る別のステップでは、無線デバイスは、１つ以上の動作タスクのために無線デバイスの決定された同期状態を使用する。そのような同期タスクの例は、
‐信号の受信、例えば復調、
‐例えば、ＡＣＫ／ＮＡＣＫ、ＣＳＩ等の信号の送信、
‐無線測定、
‐電力制御方式等の選択および適用、
‐ΔＴｒおよび／またはΔＴｔの結果を別の無線デバイスへ送信すること、
‐ΔＴｒおよび／またはΔＴｔの結果をネットワークノード、例えば、サービングノード、コアネットワークノード、測位ノード等へ送信すること、
‐無線デバイスの同期状態を別のノードまたは別の無線デバイスへ指示すること。
【００９４】
いくつかの実施形態では、ネットワークノードは、同期および／または非同期のマルチコネクティビティのサポートに関する無線デバイスの能力についての情報を取得することを含む方法を実行する。これは、ネットワークノードによるオプションのステップである。別のステップでは、ネットワークノードは、受信時間差（ΔＴｒ）を受信する。ここで、ΔＴｒは、第１のネットワークノード（ＮＷ１）から受信された第１のダウンリンク信号（ＤＬＳ１）と、第２ネットワークノード（ＮＷ２）から受信された第２のダウンリンク信号（ＤＬＳ２）との間で無線デバイスにより推定される。次のステップでは、ネットワークノードは、ＤＬＳ１とＤＬＳ２それぞれを動作させるために使用される少なくとも１つの第１の numerology（Ｎ１）と少なくとも１つの第２の numerology（Ｎ２）を決定し、次のステップでは、決定したＮ１とＮ２に基づいて第１のダウンリンク閾値（Ｇ１）を取得する。別のステップでは、無線デバイスは、ΔＴｒとＧ１との間の関係、例えばΔＴｒとＧ１との間の比較に基づいて、無線デバイスの同期状態を決定する。オプションのステップである別のステップでは、ネットワークノードは、１つ以上の動作タスクのために無線デバイスの決定された同期状態を使用する。
【００９５】
ネットワークノードは、第１のネットワークノード（ＮＷ１）、第２のネットワークノード（ＮＷ２）、任意の他の無線アクセスノード（例えば、ＮＷ１および／またはＮＷ２の近隣のもの）、コアネットワークノード等のいずれかとすることができる。
【００９６】
上記に概要を示したネットワークノードにおいて行われるステップについて、次により詳細に説明する。
【００９７】
１つのステップでは、ネットワークノードは、同期および／または非同期のマルチコネクティビティのサポートに関する無線デバイスの能力についての情報を、無線デバイスから取得し得る。指示された無線デバイスの能力は、柔軟なnumerologyシナリオの下で同期および／または非同期マルチコネクティビティを動作させるための無線デバイスの能力を更に含み得る。ネットワークノードは、要求に応じて、または、一方的に（例えば、トリガーイベント、条件、別のノードからメッセージを受信することに応じて）、無線デバイスから能力情報を受信する。
【００９８】
別のステップでは、ネットワークノードは、第１のネットワークノード（ＮＷ１）から受信された第１のダウンリンク信号（ＤＬＳ１）と、第２ネットワークノード（ＮＷ２）から受信された第２のダウンリンク信号（ＤＬＳ２）との間で無線デバイスにより推定された時間差（ΔＴｒ）を受信し得る。
【００９９】
ネットワークノードは更に、セル３において無線デバイスにより送信された第１のアップリンク信号（ＵＬＳ１）とセル４において無線デバイスにより送信された第２のアップリンク信号（ＵＬＳ２）との間の送信時間差（ΔＴｔ）を取得し得る。無線デバイスによるΔＴｒとΔＴｔの推定は、無線デバイスの機能に関して上述した通りである。
【０１００】
ネットワークノードは、以下の１つ以上に基づいて、ΔＴｒとΔＴｔの値を取得し得る。
‐無線デバイスから受信された、指示または報告または測定結果、
‐別の無線ネットワークノード、コアネットワークノート等の別のノードから受信された指示または報告または測定結果、
‐履歴データまたは統計。
【０１０１】
別のステップにおいて、ネットワークノードは、ＤＬＳ１およびＤＬＳ２をそれぞれ動作させるために使用される第１のnumerology（Ｎ１）および第２のnumerology（Ｎ２）に関する情報を決定し得る。ネットワークノードは更に、同じセルまたはリンクにおいてＤＬＳ１を動作させるために使用される複数のnumerology、例えば同じセル内の異なる時間リソースで使用される異なるnumerologyに関連する情報を決定し得る。ネットワークノードは更に、同じセルまたはリンクにおいてＤＬＳ２を動作させるために使用される複数のnumerology、例えば同じセル内の異なる時間リソースで使用される異なるnumerologyに関連する情報を決定し得る。ネットワークノードは更に、ＵＬＳ１およびＵＬＳ２をそれぞれ動作させるために使用される少なくとも１つの第３のnumerology（Ｎ３）および少なくとも１つの第４のnumerology（Ｎ４）に関する情報を決定し得る。
【０１０２】
ネットワークノードは更に、ネットワークノードまたは別のノード、例えば、ＮＷ１、ＮＷ２等により無線デバイスへ送信された設定情報に基づいて、numerologyを決定し得る。
【０１０３】
別のステップにおいて、ネットワークノードは、セル１のＤＬとセル２のＤＬ２においてそれぞれ使用される、決定されたＮ１とＮ２に基づいて、少なくとも第１のダウンリンク閾値（Ｇ１）を取得し得る。ネットワークノードは更に、セル１のＤＬ１とセル２のＤＬ２において使用される、決定されたＮ１とＮ２に基づいて、第２のダウンリンク閾値（Ｇ２）を決定し得る。
【０１０４】
ネットワークノードは、セル１の無線デバイスとセル２の無線デバイスにおいてそれぞれ使用される、決定されたＮ３とＮ４に基づいて、少なくとも第１のダウンリンク閾値（Ｈ１）を決定し得る。ネットワークノードは更に、セル１の無線デバイスとセル２の無線デバイスにおいてそれぞれ使用される、決定されたＮ３とＮ４に基づいて、第２のダウンリンク閾値（Ｈ２）を決定し得る。
【０１０５】
ネットワークノードは、以下のメカニズムのうちの１つ以上に基づいて、閾値パラメータＧ１、Ｇ２、Ｈ１、およびＨ２のうちのいずれかを決定し得る。
‐上述したマッピングテーブル１、２、３、４等のような予め定義された規則、
‐別のネットワークノード等の別のノードから受信した情報、
‐履歴または統計、すなわち、過去において使用された値、
‐最近使用された値、例えば、ネットワークノードのメモリに格納された最近の値。
【０１０６】
別のステップでは、ネットワークノードは、ΔＴｔと決定されたＧ１の値との間の関係に基づいて、無線デバイスの同期状態を決定し得る。ネットワークノードは更に、ΔＴｔと決定されたＧ２の値との間の比較に基づいて、無線デバイスが同期モードまたは非同期モードで動作しているかを決定し得る。
【０１０７】
ネットワークノードはまた、無線デバイスがセル１とセル２に関して動作の同期モードが可能である場合に、無線デバイスが同期モードに対するΔＴｔの決定された最大許容値で動作することが可能かを決定し得る。ネットワークノードは更に、無線デバイスがセル１とセル２に関して動作の非同期モードが可能である場合に、無線デバイスが非同期モードに対するΔＴｔの決定された最大許容値で動作することが可能かを決定し得る。
【０１０８】
無線デバイスが同期モードで動作する場合、ネットワークノードは更に、推定されたΔＴｔの値を少なくともＨ１の決定された値と比較して、無線デバイスが同期動作の下でΔＴｔの最大可能値を処理できるかを決定する。
【０１０９】
無線デバイスが非同期モードで動作する場合、ネットワークノードは更に、推定されたΔＴｔの値を少なくともＨ２の決定された値と比較して、無線デバイスが非同期動作の下でΔＴｔの最大可能値を処理できるかを決定する。
【０１１０】
ネットワークノードに対してオプションである別のステップでは、ネットワークノードは、１つ以上の動作タスクのために無線デバイスの決定された同期状態を使用する。そのような同期タスクの例は、
‐無線デバイスからの信号の受信、例えば復調、
‐無線デバイスへの信号の送信、
‐無線デバイスにおけるＵＬおよび／またはＤＬにおける信号のスケジューリング、
‐無線測定、
‐タイミングアドバンスの推定、
‐測定ギャップの設定の適合化、
‐無線デバイスに対するＤＲＸ設定の適合化、
‐無線デバイスへ送信される測定設定の適合化、
‐タイミングアドバンスグループ、例えば、ＴＡＧ１におけるセル１およびＴＡＧ２におけるセル２、の設定
‐電力制御方式等の選択および設定等
‐ΔＴｒおよび／またはΔＴｔの結果をネットワークノード、例えば、サービングノード、コアネットワークノード、測位ノード等へ送信すること。
【０１１１】
図４は、第１のnumerologyおよび第２のnumerologyに基づいて無線デバイス２０に対する同期状態を決定するための例示的な無線デバイスを２０示す。一実施形態では、無線デバイスは、１つ以上のプロセッサ２６と通信するメモリ２４を含む処理回路２２を有する。１つ以上のプロセッサ２６は、時間差推定器２８と同期状態決定器３０を有する無線デバイス２０はまた、通信インタフェース３２を有する。メモリ２４は、１つ以上のプロセッサ２６により実行された場合に、１つ以上のプロセッサ２６を、具体的には、時間差推定器２８を、第１のネットワークノードから受信した第１のダウンリンク信号の受信と第２のネットワークノードから受信された第２のダウンリンク信号の受信との間の時間差を推定するように構成する。１つ以上のプロセッサは更に、第１のnumerologyおよび第２のnumerologyに基づいて第１のダウンリンク閾値を取得するように構成される。１つ以上のプロセッサ、具体的には、同期状態決定器３０は、推定された時間差と第１のダウンリンク閾値との間の関係に基づいて、無線デバイス２０の同期状態を決定するように構成される。従来の１つ以上のプロセッサおよびメモリに加えて、処理回路２２は、処理および／または制御のための集積回路、例えば、１つ以上のプロセッサおよび／または１つ以上のプロセッサコアおよび／またはＦＰＧＡ（フィールドプログラマブルゲートアレイ）および／またはＡＳＩＣ（特定用途向け集積回路）、を有し得る。
【０１１２】
処理回路２２は、任意の種類の揮発性および／または不揮発性メモリ、たとえばキャッシュおよび／またはバッファメモリおよび／またはＲＡＭ（ランダムアクセスメモリ）および／またはＲＯＭ（読み取り専用メモリ）および／または光メモリおよび／またはＥＰＲＯＭ（消去可能プログラマブル読み取り専用メモリ）を含み得るメモリ２４を含む、および／またはそれに接続される、および／またはそれにアクセスする（例えば、それに書き込むおよび／またはそこから読み出す）ように構成され得る。そのようなメモリ２４は、制御回路によって実行可能なコードおよび／または他のデータ、たとえば通信に関するデータ、たとえばノードの構成データおよび／またはアドレスデータなどを格納するように構成され得る。処理回路２２は、本明細書に記載の方法のうちのいずれかを制御するように、および／またはそのような方法を、例えば１つ以上のプロセッサ２６によって実行させるように構成され得る。対応する命令は、処理回路２２に読み取り可能および／または読み取り可能に接続することができるメモリ２４に格納され得る。言い換えれば、処理回路２２は、マイクロプロセッサおよび／またはマイクロコントローラおよび／またはＦＰＧＡ（フィールドプログラマブルゲートアレイ）デバイスおよび／またはＡＳＩＣ（特定用途向け集積回路）デバイスを含み得るコントローラを含み得る。処理回路２２は、コントローラおよび／または処理回路２２による読み取りおよび／または書き込みのためにアクセス可能であるように構成され得るメモリを含むか、またはそれらに接続されるかまたは接続可能であると考えられ得る。
【０１１３】
図５は、第１のnumerologyおよび第２のnumerologyに基づいて無線デバイス２０に対する同期状態を決定するための無線デバイス２０における例示的な処理のフローチャートである。このような処理は、例えば、一実施形態では、メモリ２４が、１つ以上のプロセッサ２６によって実行されると、処理回路２２に本明細書に記載の機能を実行させる実行可能プログラムコードを格納する処理回路２２によって実行され得る。処理は、オプション的に、通信インタフェース３２を介して、同期および非同期マルチコネクティビティのうちの少なくとも一方のサポートに関する無線デバイスの能力についての情報を他のノードに指示することを含む（ブロックＳ１００）。処理は、１つ以上のプロセッサ２６により、特に、無線デバイス２０の時間差推定器２８により、第１のネットワークノードから受信された第１のダウンリンク信号の受信と第２のネットワークノードから受信された第２のダウンリンク信号の受信との間の時間差を推定することを含む（ブロックＳ１１０）。処理は更に、１つ以上のプロセッサ２６により、第１のnumerologyおよび第２のnumerologyに基づいて第１のダウンリンク閾値を取得すること（ブロックＳ１２０）と、１つ以上のプロセッサ２６により、特に無線デバイス２０の同期状態決定器３０により、推定された時間差と第１のダウンリンク閾値との間の関係に基づいて無線デバイス２０の同期状態を決定すること（ブロックＳ１３０）を含む。処理は、オプション的に、プロセッサ２６を介して、少なくとも１つの動作タスクのために無線デバイスの決定された同期状態を使用することを含む（ブロックＳ１４０）。
【０１１４】
一実施形態では、第１のnumerologyは、第１のダウンリンク信号を動作させるために使用され、第２のnumerology第２のダウンリンク信号を動作させるために使用される。一実施形態では、第１のネットワークノードと第２のネットワークノードは同じである。一実施形態では、第１のネットワークノードと第２のネットワークノードは異なる。
【０１１５】
一実施形態では、少なくとも１つの動作タスクは、受信信号の復調、信号の送信、無線測定、電力制御方式の選択および適用の少なくとも１つ、推定された時間差およびアップリンク送信時間差の少なくとも１つの他の無線デバイスへの送信、推定された時間差およびアップリンク送信時間差の少なくとも１つの他のネットワークノードへの送信、無線デバイスの同期状態を他のネットワークノードまたは他の無線デバイスへ指示すること、のうちの少なくとも１つを含む。別の実施形態では、方法は更に、無線デバイス２０の１つ以上のプロセッサ２６により、第１のネットワークノードにより運用される第１のセルにおける無線デバイス２０により送信された第１のアップリンク信号と、第２のネットワークノードにより運用される第２のセルにおける無線デバイスにより送信される第２のアップリンク信号との間の送信時間差を推定することを含み得る。
【０１１６】
図４の通信インタフェース３２と組み合わせた１つ以上のプロセッサ２６は、図５の方法および上記実施形態を実行するように構成されていることに留意されたい。
【０１１７】
図６は、第１のnumerologyおよび第２のnumerologyに基づいて無線デバイス２０に対する同期状態を決定するための例示的なネットワークノード３４である。ネットワークノード３４は、１つ以上のプロセッサ４０と通信するメモリ３８を含む処理回路３６を有する。１つ以上のプロセッサ４０は、同期状態決定器４２を有する。ネットワークノード３４はまた、通信インタフェース４４を有する。通信インタフェース４４は、無線デバイス２０から、第１のネットワークノードから受信された第１のダウンリンク信号の無線デバイス２０による受信と第２のネットワークノードから受信された第２のダウンリンク信号の無線デバイス２０による受信との間の推定された時間差を取得するように構成される。通信インタフェース４４はまた、第１のnumerologyおよび第２のnumerologyに基づいて第１のダウンリンク閾値を取得するように構成される。メモリ３８は、１つ以上のプロセッサ４０により実行された場合に、１つ以上のプロセッサ４０、具体的には同期状態決定器４２を、推定された時間差と第１のダウンリンク閾値との間の関係に基づいて、無線デバイス２０の同期状態を決定するように構成する命令を有する。従来のプロセッサおよびメモリに加えて、処理回路３６は、処理および／または制御のための集積回路、例えば、１つ以上のプロセッサおよび／または１つ以上のプロセッサコアおよび／またはＦＰＧＡ（フィールドプログラマブルゲートアレイ）および／またはＡＳＩＣ（特定用途向け集積回路）、を有し得る。
【０１１８】
処理回路３６は、任意の種類の揮発性および／または不揮発性メモリ、たとえばキャッシュおよび／またはバッファメモリおよび／またはＲＡＭ（ランダムアクセスメモリ）および／またはＲＯＭ（読み取り専用メモリ）および／または光メモリおよび／またはＥＰＲＯＭ（消去可能プログラマブル読み取り専用メモリ）を含み得るメモリ３８を含む、および／またはそれに接続される、および／またはそれにアクセスする（例えば、それに書き込むおよび／またはそこから読み出す）ように構成され得る。そのようなメモリ３８は、制御回路によって実行可能なコードおよび／または他のデータ、例えば通信に関するデータ、たとえばノードの構成データおよび／またはアドレスデータなどを格納するように構成され得る。処理回路３６は、本明細書に記載の方法のうちのいずれかを制御するように、および／またはそのような方法を、例えば１つ以上のプロセッサ３６によって実行させるように構成され得る。対応する命令は、処理回路３６に読み取り可能および／または読み取り可能に接続することができるメモリ３８に格納され得る。言い換えれば、処理回路３６は、マイクロプロセッサおよび／またはマイクロコントローラおよび／またはＦＰＧＡ（フィールドプログラマブルゲートアレイ）デバイスおよび／またはＡＳＩＣ（特定用途向け集積回路）デバイスを含み得るコントローラを含み得る。処理回路３６は、コントローラおよび／または処理回路３６による読み取りおよび／または書き込みのためにアクセス可能であるように構成され得るメモリを含むか、またはそれらに接続されるかまたは接続可能であると考えられ得る。
【０１１９】
図７は、第１のnumerologyおよび第２のnumerologyに基づいて無線デバイス２０に対する同期状態を決定するためのネットワークノード３４における例示的な処理のフローチャートである。このような処理は、例えば、一実施形態では、メモリ３８が、１つ以上のプロセッサ４０によって実行されると、処理回路３６に本明細書に記載の機能を実行させる実行可能プログラムコードを格納する処理回路３６によって実行され得る。処理は、オプション的に、同期および非同期マルチコネクティビティのうちの少なくとも一方のサポートに関する無線デバイス２０の能力についての情報を取得することを含む（ブロックＳ１５０）。ステップは、ネットワークノード３４の通信インタフェース４４により実行され得る。一実施形態では、情報は、ネットワークノード３４からの情報に対する要求に応答して無線デバイス２０から受信される。処理は、通信インタフェース４４により、無線デバイス２０から、第１のネットワークノードから受信された第１のダウンリンク信号の無線デバイス２０による受信と第２のネットワークノードから受信された第２のダウンリンク信号の無線デバイス２０による受信との間の推定された時間差を取得することを含む（ブロックＳ１６０）。処理は更に、通信インタフェース４４を介して、第１のnumerologyおよび第２のnumerologyに基づいて第１のダウンリンク閾値を取得することを含む（ブロックＳ１７０）。処理は更に、１つ以上のプロセッサ４０により、具体的には、ネットワークノード３４の同期状態決定器４２により、推定された時間差と第１のダウンリンク閾値との間の関係に基づいて、無線デバイス２０の同期状態を決定することを含む（ブロックＳ１８０）。一実施形態では、処理はオプション的に、少なくとも１つの動作タスクのために無線デバイス２０の決定された同期状態を使用するステップを含む（ステップＳ１９０）。このステップは、ネットワークノード３４の１つ以上のプロセッサ４０により実行され得る。
【０１２０】
一実施形態では、第１のnumerologyは、第１のダウンリンク信号を動作させるために使用され、第２のnumerology第２のダウンリンク信号を動作させるために使用される。一実施形態では、第１のネットワークノードと第２のネットワークノードは同じである。一実施形態では、第１のネットワークノードと第２のネットワークノードは異なる。
【０１２１】
一実施形態では、少なくとも１つの動作タスクは、無線デバイスからの信号の受信、無線デバイスへの信号の送信、アップリンクおよびダウンリンク信号の少なくとも一方のスケジューリング、無線測定、タイミングアドバンスの推定、測定ギャップの設定の適合化、無線デバイスに使用される間欠受信（ＤＲＸ）設定の適合化、無線デバイスに送信される測定設定の適合化、タイミングアドバンスグループの設定、電力制御方式の選択および設定のいずれか一方、および推定された時間差およびアップリンク送信時間差の少なくともいずれかの他のネットワークノードへの送信、のうちの少なくとも１つを含む。一実施形態では、処理は更に、ネットワークノード３４において、第１のセルにおける無線デバイス２０により送信された第１のアップリンク信号と第２のセルにおける無線デバイス２０により送信された第２のアップリンク信号との間の、無線デバイス２０により推定された、送信時間差を取得することを含む。ステップは、ネットワークノード３４の通信インタフェース４４により実行され得る。
【０１２２】
図６の通信インタフェース４４と組み合わせた１つ以上のプロセッサ４０は、図７の方法および上記実施形態を実行するように構成されていることに留意されたい。
【０１２３】
図８は、第１のnumerologyおよび第２のnumerologyに基づいて無線デバイス４６に対する同期状態を決定するための別の例示的な無線デバイス４６を示す。無線デバイス４６は、メモリモジュール４８、時間差推定モジュール５０、および同期状態決定モジュール５２を有する。時間差推定モジュール５０は、第１のネットワークノードから受信された第１のダウンリンク信号の受信と第２のネットワークノードから受信された第２のダウンリンク信号の受信との間の時間差を推定するように構成される。同期状態決定モジュール５０は、第１のnumerologyおよび第２のnumerologyに基づいて第１のダウンリンク閾値を取得し、推定された時間差と第１のダウンリンク閾値との間の比較に基づいて無線デバイスの同期状態を決定するように構成される。
【０１２４】
図９は、第１のnumerologyおよび第２のnumerologyに基づいて無線デバイス４６に対する同期状態を決定するための例示的なネットワークノード５４である。ネットワークノード５４は、無線デバイス４６から、第１のネットワークノードから受信された第１のダウンリンク信号の無線デバイス４６による受信と第２のネットワークノードから受信された第２のダウンリンク信号の無線デバイス４６による受信との間の推定された時間差を取得し、第１のnumerologyおよび第２のnumerologyに基づいて第１のダウンリンク閾値を取得するように構成された通信インタフェースモジュール５６を有する。ネットワークノード５４はまた、推定された時間差と第１のダウンリンク閾値との間の関係に基づいて、無線デバイス４６の同期状態を決定するように構成された同期状態決定モジュール５８を有する。
【０１２５】
図１０は、第１のnumerologyおよび第２のnumerologyに基づいて無線デバイスに対する同期状態を決定するために無線デバイスによって実行される例示的な処理のフローチャートである。処理は、無線デバイスにより送信された第１のアップリンク信号の送信時間と、無線デバイスにより送信された第２のアップリンク信号の送信時間との間の時間差を推定することを含む（ブロックＳ２００）。処理は更に、第１のnumerologyおよび第２のnumerologyに基づいてアップリンク閾値を取得することを含む（ブロックＳ２１０）。処理はまた、推定された時間差と第１のアップリンク閾値との間の比較に基づいて、無線デバイスの同期状態を決定することを含む。
【０１２６】
図１１は、第１のnumerologyおよび第２のnumerologyに基づいて無線デバイスに対する同期状態を決定するためにネットワークノードによって実行される例示的な処理のフローチャートである。処理は、無線デバイスから、第１のアップリンク信号の送信と第２のアップリンク信号の送信との間の推定された時間差を取得することを含む（ブロックＳ２３０）。処理は更に、第１のnumerologyおよび第２のnumerologyに基づいてアップリンク閾値を取得することを含む（ブロックＳ２４０）。処理はまた、推定された時間差と第１のアップリンク閾値との間の比較に基づいて、無線デバイスの同期状態を決定することを含む（ブロックＳ２５０）。
【０１２７】
図１２は、第１のnumerologyおよび第２のnumerologyに基づいて無線デバイス２０に対する同期状態を決定するために無線デバイス２０によって実行される例示的な処理のフローチャートである。処理は、無線デバイス２０と第１のネットワークノード３４および第２のネットワークノード３４との間でそれぞれ交換された第１の信号と第２の信号との間の送信時間差を推定することを含む（ブロックＳ２６０）。処理はまた、第１のnumerologyおよび第２のnumerologyに基づいて閾値を取得することを含む（ブロックＳ２７０）。処理は更に、推定された時間差と閾値との間の比較に基づいて、無線デバイス２０の同期状態を決定することを含む（ブロックＳ２８０）。
【０１２８】
図１３は、無線デバイスに対する同期状態を決定するためにネットワークノード３４により実行される例示的な処理のフローチャートである。処理は、無線デバイス２０から、無線デバイスと第１のネットワークノードおよび第２のネットワークノードとの間でそれぞれ交換された第１の信号と第２の信号との間の推定された送信時間差を取得することを含む（ブロックＳ２９０）。処理はまた、第１のnumerologyおよび第２のnumerologyに基づいて閾値を取得することを含む（ブロックＳ３００）。処理は更に、推定された時間差と閾値との間の比較に基づいて、無線デバイス２０の同期状態を決定することを含む（ブロックＳ３２０）。
【０１２９】
いくつかの実施形態では、第１の信号は第１のネットワークノードからの第１のダウンリンク信号であり、第２の信号は第２のネットワークノードからの第２のダウンリンク信号であり、送信時間差を推定することは、第１のネットワークノードから受信された第１のダウンリンク信号の受信と、第２のネットワークノードから受信された第２のダウンリンク信号の受信との間の時間差を推定することを含む。
【０１３０】
いくつかの実施形態では、閾値を取得することは、ダウンリンク閾値を取得することを含む。この場合、同期状態を決定することは、推定された時間差とダウンリンク閾値との間の比較に基づいて同期状態を決定することを含む。第１の信号は第１のアップリンク信号であり、第２の信号は第２のアップリンク信号であり、送信時間差を推定することは、第１のアップリンク信号を第１のネットワークノードへ送信することと、第２のアップリンク信号を第２のネットワークノードへ送信することの時間差を推定することを含む。閾値を取得することは、アップリンク閾値を取得することを含み得る。この場合、同期状態を決定することは、推定された時間差とアップリンク閾値との間の比較に基づいて同期状態を決定することを含む。第１のnumerologyは、第１のダウンリンク信号を動作させるために使用され、第２のnumerology第２のダウンリンク信号を動作させるために使用され得る。第１のネットワークノード３４と第２のネットワークノード３４は同じノードであり得る。代替的に、第１のネットワークノード３４と第２のネットワークノード３４は異なるノードであり得る。方法は更に、同期および非同期マルチコネクティビティのうちの少なくとも一方のサポートに関する無線デバイス２０の能力についての情報を他のノードに指示することを含み得る。指示は、当該他のノードからの要求の受信に応答して当該他のノードに送信され得る。方法は更に、少なくとも１つの動作タスクのために無線デバイス２０の決定された同期状態を使用することを含み得る。少なくとも１つの動作タスクは、受信信号の復調、信号の送信、無線測定、電力制御方式の選択および適用の少なくとも１つ、推定された時間差およびアップリンク送信時間差の少なくとも１つの他の無線デバイスへの送信、推定された時間差およびアップリンク送信時間差の少なくとも１つの他のネットワークノードへの送信、無線デバイスの同期状態を他のネットワークノードまたは他の無線デバイスへ指示すること、のうちの少なくとも１つを含み得る。ダウンリンク閾値は、異なるサブキャリア間隔に対応する閾値のテーブルから選択され得る。いくつかの実施形態では、無線デバイス２０の同期状態は、推定された時間差がダウンリンク閾値を超える場合に同期的であり、そうでない場合に非同期的である。処理は、第１のnumerologyおよび第２のnumerologyに基づいて第２のアップリンク閾値を取得し、推定された時間差と第１のアップリンク閾値との間の比較に基づいて無線デバイスの同期状態を決定することを含む。第１のダウンリンク閾値の大きさは、第１のダウンリンクセルと第２のダウンリンクセルの少なくとも一方において使用されるサブキャリア間隔における増加に伴い減少する。 処理は、第１のnumerologyおよび第２のnumerologyに基づいて第２のアップリンク閾値を取得し、推定された時間差と第２のアップリンク閾値との間の比較に基づいて無線デバイスの同期状態を決定することを含む。第２のダウンリンク閾値の大きさは、第１のダウンリンクセルと第２のダウンリンクセルの少なくとも一方において使用されるサブキャリア間隔の増加に伴って減少し得る。
【０１３１】
別の態様によれば、いくつかの実施形態は、第１のnumerologyおよび第２のnumerologyに基づいて無線デバイス２０に対する同期状態を決定するように構成された無線デバイス２０を有する。無線デバイス２０は、通信インタフェース３２を有する。無線デバイスはまた、図１２の処理／方法を実行するように構成された処理回路２２を有する。
【０１３２】
いくつかの実施形態では、データ送信に対して定義された、第１のnumerologyおよび第２のnumerologyに基づいて無線デバイス２０に対する同期状態を決定するためにネットワークノード３４によって実行される方法が提供される。方法は、無線デバイスから、無線デバイスと第１のネットワークノードおよび第２のネットワークノードとの間でそれぞれ交換された第１の信号と第２の信号との間の推定された送信時間差を取得すること（ブロックＳ２９０）と、第１のnumerologyおよび第２のnumerologyに基づいて閾値を取得すること（ブロックＳ３００）と、推定された時間差と閾値との間の比較に基づいて無線デバイスの同期状態を決定すること（ブロックＳ３２０）を含む。第１の信号は第１のネットワークノードからの第１のダウンリンク信号であり、第２の信号は第２のネットワークノードからの第２のダウンリンク信号であり、送信時間差を推定することは、第１のネットワークノードから受信された第１のダウンリンク信号の受信と、第２のネットワークノードから受信された第２のダウンリンク信号の受信との間の時間差を推定することを含む。閾値を取得することは、ダウンリンク閾値を取得することを含み得る。この場合、比較は推定された送信時間差とダウンリンク閾値との間である。いくつかの実施形態では、第１の信号は第１のアップリンク信号であり、第２の信号は第２のアップリンク信号であり、送信時間差を推定することは、第１のアップリンク信号を第１のネットワークノードへ送信することと、第２のアップリンク信号を第２のネットワークノードへ送信することの時間差を推定することを含む。閾値を取得することは、アップリンク閾値を取得することを含み得る。この場合、比較は推定された送信時間差とアップリンク閾値との間である。処理は、第１のnumerologyおよび第２のnumerologyに基づいて第２のアップリンク閾値を取得し、推定された送信時間差と第２のアップリンク閾値との間の比較に基づいて無線デバイスの同期状態を決定することを含む。第２のアップリンク閾値の大きさは、第１のアップリンクセルと第２のアップリンクセルの少なくとも一方において使用されるサブキャリア間隔の増加に伴って減少し得る。
【０１３３】
いくつかの実施形態では、第１のnumerologyは、第１のダウンリンク信号を動作させるために使用され、第２のnumerologyは第２のダウンリンク信号を動作させるために使用される。第１のネットワークノード３４と第２のネットワークノード３４は同じノードであり得る。代替的に、第１のネットワークノード３４と第２のネットワークノード３４は異なるノードであり得る。いくつかの実施形態では、方法は更に、同期および非同期マルチコネクティビティのうちの少なくとも一方のサポートに関する無線デバイス２０の能力についての情報を取得することを含む。情報は、ネットワークノード３４からの情報に対する要求に応答して無線デバイス２０から受信され得る。方法は更に、少なくとも１つの動作タスクのために無線デバイス２０の決定された同期状態を使用することを含む。少なくとも１つの動作タスクは、無線デバイス２０からの信号の受信、無線デバイス２０への信号の送信、アップリンクおよびダウンリンク信号の少なくとも一方のスケジューリング、無線測定、タイミングアドバンスの推定、測定ギャップの設定の適合化、無線デバイスに使用される間欠受信（ＤＲＸ）設定の適合化、無線デバイスに送信される測定設定の適合化、タイミングアドバンスグループの設定、電力制御方式の選択および設定のいずれか一方、および推定された時間差およびアップリンク送信時間差のすくなくともいずれかの他のネットワークノード３４への送信、のうちの少なくとも１つを含む。アップリンク閾値の大きさは、第１のアップリンクセルと第２のアップリンクセルの少なくとも一方において使用されるサブキャリア間隔の増加に伴って減少し得る。いくつかの実施形態では、ネットワークノード３４は、図１３の方法の全てのステップを実行するように構成される。より具体的には、ネットワークノード３４は、本明細書に記載される方法により提供される実施形態および機能性を実行するように構成された処理回路を有する。
【０１３４】
いくつかの実施形態は以下のものを含む。
【０１３５】
［実施形態１］第１のnumerologyおよび第２のnumerologyに基づいて無線デバイスの同期状態を決定するために無線デバイスによって実行される方法であって、方法は、
第１のネットワークノードから受信された第１のダウンリンク信号の受信と第２のネットワークノードから受信された第２のダウンリンク信号の受信との間の時間差を推定することと、
前記第１のnumerologyおよび前記第２のnumerologyに基づいて第１のダウンリンク閾値を取得することと、 
前記推定された時間差と前記第１のダウンリンク閾値との間の関係に基づいて、前記無線デバイスの前記同期状態を決定することを含む。
【０１３６】
［実施形態２］実施形態１の方法であって、前記第１のnumerologyは、前記第１のダウンリンク信号を動作させるために使用され、前記第２のnumerology第２のダウンリンク信号を動作させるために使用される。
【０１３７】
［実施形態３］実施形態１の方法であって、前記第１のネットワークノードと前記第２のネットワークノードは同じノードである。
【０１３８】
［実施形態４］実施形態１の方法であって、前記第１のネットワークノードと前記第２のネットワークノードは異なるノードである。
【０１３９】
［実施形態５］実施形態１の方法であって、更に、同期および非同期マルチコネクティビティのうちの少なくとも一方のサポートに関する前記無線デバイスの能力についての情報を他のノードに指示することを含む。
【０１４０】
［実施形態６］実施形態５の方法であって、前記指示は、前記他のノードからの要求の受信に応答して前記他のノードに送信される。
【０１４１】
［実施形態７］実施形態１の方法であって、更に、少なくとも１つの動作タスクのために前記無線デバイスの前記決定された同期状態を使用することを含む。
【０１４２】
［実施形態８］実施形態７の方法であって、前記少なくとも１つの動作タスクは、受信信号の復調、信号の送信、無線測定、電力制御方式の選択および適用の少なくとも１つ、前記推定された時間差およびアップリンク送信時間差の少なくとも１つの他の無線デバイスへの送信、前記推定された時間差および前記アップリンク送信時間差の少なくとも１つの他のネットワークノードへの送信、前記無線デバイスの前記同期状態を別のネットワークノードまたは他の無線デバイスへ指示すること、のうちの少なくとも１つを含む。
【０１４３】
［実施形態９］実施形態１の方法であって、更に、前記無線デバイスにおいて、前記第１のネットワークノードにより運用される第１のセルにおける前記無線デバイスにより送信される第１のアップリンク信号と、前記第２のネットワークノードにより運用される第１のセルにおける前記無線デバイスにより送信される第２のアップリンク信号との間の送信時間差を推定すること、を含む。
【０１４４】
［実施形態１０］第１のnumerologyおよび第２のnumerologyに基づいて無線デバイスに対する同期状態を決定するように構成された無線デバイスであって、
通信インタフェースと、  
メモリと１つ以上のプロセッサを有する処理回路と、を有し、前記メモリは前記１つ以上のプロセッサと通信状態にあり、前記メモリは第１の信号シーケンスと第２の信号シーケンスを格納するように構成され、前記１つ以上のプロセッサにより実行された場合に、前記１つ以上のプロセッサを、  
第１のネットワークノードから受信された第１のダウンリンク信号の受信と第２のネットワークノードから受信された第２のダウンリンク信号の受信との間の時間差を推定し、
前記第１のnumerologyおよび前記第２のnumerologyに基づいて第１のダウンリンク閾値を取得し、 
前記推定された時間差と前記第１のダウンリンク閾値との間の関係に基づいて、前記無線デバイスの前記同期状態を決定する、ように構成する命令を含む。
【０１４５】
［実施形態１１］実施形態１０の無線デバイスであって、前記第１のnumerologyは、前記第１のダウンリンク信号を動作させるために使用され、前記第２のnumerology第２のダウンリンク信号を動作させるために使用される。
【０１４６】
［実施形態１２］実施形態１０の無線デバイスであって、前記第１のネットワークノードと前記第２のネットワークノードは同じノードである。
【０１４７】
［実施形態１３］実施形態１０の無線デバイスであって、前記第１のネットワークノードと前記第２のネットワークノードは異なるノードである。
【０１４８】
［実施形態１４］実施形態１０の無線デバイスであって、前記通信インタフェースは、同期および非同期マルチコネクティビティのうちの少なくとも一方のサポートに関する前記無線デバイスの能力についての情報を他のノードに指示するように構成される。
【０１４９】
［実施形態１５］実施形態１４の無線デバイスであって、前記指示は、前記他のノードからの要求の受信に応答して前記他のノードに送信される。
【０１５０】
［実施形態１６］実施形態１０の無線デバイスであって、前記１つ以上のプロセッサは、更に、少なくとも１つの動作タスクのために前記無線デバイスの前記決定された同期状態を使用するように構成される。
【０１５１】
［実施形態１７］実施形態１６の無線デバイスであって、前記少なくとも１つの動作タスクは、受信信号の復調、信号の送信、無線測定、電力制御方式の選択および適用の少なくとも１つ、前記推定された時間差およびアップリンク送信時間差の少なくとも１つの他の無線デバイスへの送信、前記推定された時間差および前記アップリンク送信時間差の少なくとも１つの他のネットワークノードへの送信、前記無線デバイスの前記同期状態を他のネットワークノードまたは他の無線デバイスへ指示すること、のうちの少なくとも１つを含む。
【０１５２】
［実施形態１８］実施形態１０の無線デバイスであって、前記１つ以上のプロセッサは、更に、前記第１のネットワークノードにより運用される第１のセルにおける前記無線デバイスにより送信される第１のアップリンク信号と、前記第２のネットワークノードにより運用される第２のセルにおける前記無線デバイスにより送信される第２のアップリンク信号との間の送信時間差を推定するように構成される。
【０１５３】
［実施形態１９］第１のnumerologyおよび第２のnumerologyに基づいて無線デバイスの同期状態を決定するためにネットワークノードによって実行される方法であって、  
前記無線デバイスから、第１のネットワークノードから受信された第１のダウンリンク信号の前記無線デバイスによる受信と第２のネットワークノードから受信された第２のダウンリンク信号の前記無線デバイスによる受信との間の推定された時間差を取得することと、
前記第１のnumerologyおよび前記第２のnumerologyに基づいて第１のダウンリンク閾値を取得することと、  
前記推定された時間差と前記第１のダウンリンク閾値との間の関係に基づいて、前記無線デバイスの前記同期状態を決定することを含む。
【０１５４】
［実施形態２０］実施形態１９の方法であって、前記第１のnumerologyは、前記第１のダウンリンク信号を動作させるために使用され、前記第２のnumerology第２のダウンリンク信号を動作させるために使用される。
【０１５５】
［実施形態２１］ 実施形態１９の方法であって、前記第１のネットワークノードと前記第２のネットワークノードは同じノードである。
【０１５６】
［実施形態２２］実施形態１９の方法であって、前記第１のネットワークノードと前記第２のネットワークノードは異なるノードである。
【０１５７】
［実施形態２３］実施形態１９の方法であって、更に、同期および非同期マルチコネクティビティのうちの少なくとも一方のサポートに関する前記無線デバイスの能力についての情報を取得することを含む。  
【０１５８】
［実施形態２４］実施形態２３の方法であって、前記情報は、前記ネットワークノードからの前記情報に対する要求に応答して前記無線デバイスから受信される。
【０１５９】
［実施形態２５］実施形態１９の方法であって、更に、少なくとも１つの動作タスクのために前記無線デバイスの前記決定された同期状態を使用することを含む。
【０１６０】
［実施形態２６］実施形態２５の方法であって、前記少なくとも１つの動作タスクは、前記無線デバイスからの信号の受信、前記無線デバイスへの信号の送信、アップリンクおよびダウンリンク信号の少なくとも一方のスケジューリング、無線測定、タイミングアドバンスの推定、測定ギャップの設定の適合化、無線デバイスに使用される間欠受信（ＤＲＸ）設定の適合化、無線デバイスに送信される測定設定の適合化、タイミングアドバンスグループの設定、電力制御方式の選択および設定のいずれか一方、および前記推定された時間差およびアップリンク送信時間差のすくなくともいずれかの他のネットワークノードへの送信、のうちの少なくとも１つを含む。
【０１６１】
［実施形態２７］実施形態１９の方法であって、更に、ネットワークノードにおいて、第１のセルにおける前記無線デバイスにより送信された第１のアップリンク信号と第２のセルにおける前記無線デバイスにより送信された第２のアップリンク信号との間の、前記無線デバイスにより推定された、送信時間差を取得することを含む。
【０１６２】
［実施形態２８］第１のnumerologyおよび第２のnumerologyに基づいて無線デバイスに対する同期状態を決定するように構成されたネットワークノードであって、前記ネットワークノードは、  
通信インタフェースであって、
前記無線デバイスから、第１のネットワークノードから受信された第１のダウンリンク信号の前記無線デバイスによる受信と第２のネットワークノードから受信された第２のダウンリンク信号の前記無線デバイスによる受信との間の推定された時間差を取得し、
前記第１のnumerologyおよび前記第２のnumerologyに基づいて第１のダウンリンク閾値を取得するように構成された通信インタフェースと、 
メモリと１つ以上のプロセッサとを有する処理回路とを有し、前記メモリは前記１つ以上のプロセッサと通信状態にあり、前記メモリは第１の信号シーケンスと第２の信号シーケンスを格納するように構成され、前記１つ以上のプロセッサにより実行された場合に、前記１つ以上のプロセッサを、  
前記推定された時間差と前記第１のダウンリンク閾値との間の関係に基づいて、前記無線デバイスの前記同期状態を決定する、ように構成する命令を含む。
【０１６３】
［実施形態２９］実施形態２８のネットワークノードであって、前記第１のnumerologyは、前記第１のダウンリンク信号を動作させるために使用され、前記第２のnumerology第２のダウンリンク信号を動作させるために使用される。
【０１６４】
［実施形態３０］実施形態２８のネットワークノードであって、前記第１のネットワークノードと前記第２のネットワークノードは同じノードである。
【０１６５】
［実施形態３１］実施形態２８のネットワークノードであって、前記第１のネットワークノードと前記第２のネットワークノードは異なるノードである。
【０１６６】
［実施形態３２］実施形態２８のネットワークノードであって、前記通信インタフェースは、更に、同期および非同期マルチコネクティビティのうちの少なくとも一方のサポートに関する前記無線デバイスの能力についての情報を取得するように構成される。
【０１６７】
［実施形態３３］実施形態３２のネットワークノードであって、前記情報は、前記ネットワークノードからの前記情報に対する要求に応答して前記無線デバイスから受信される。
【０１６８】
［実施形態３４］実施形態２８のネットワークノードであって、前記１つ以上のプロセッサは、更に、少なくとも１つの動作タスクのために前記無線デバイスの前記決定された同期状態を使用するように構成される。
【０１６９】
［実施形態３５］実施形態３４のネットワークノードであって、前記少なくとも１つの動作タスクは、前記無線デバイスからの信号の受信、前記無線デバイスへの信号の送信、アップリンクおよびダウンリンク信号の少なくとも一方のスケジューリング、無線測定、タイミングアドバンスの推定、測定ギャップの設定の適合化、無線デバイスに使用される間欠受信（ＤＲＸ）設定の適合化、無線デバイスに送信される測定設定の適合化、タイミングアドバンスグループの設定、電力制御方式の選択および設定のいずれか一方、および前記推定された時間差およびアップリンク送信時間差の少なくともいずれかの他のネットワークノードへの送信、のうちの少なくとも１つを含む。
【０１７０】
［実施形態３６］実施形態２８のネットワークノードであって、前記通信インタフェースは、更に、第１のセルにおける前記無線デバイスにより送信された第１のアップリンク信号と第２のセルにおける前記無線デバイスにより送信された第２のアップリンク信号との間の、前記無線デバイスにより推定された、送信時間差を取得するように構成される。
【０１７１】
［実施形態３７］第１のnumerologyおよび第２のnumerologyに基づいて無線デバイスに対する同期状態を決定するように構成された無線デバイスであって、  
メモリモジュールと、  
第１のネットワークノードから受信された第１のダウンリンク信号の受信と第２のネットワークノードから受信された第２のダウンリンク信号の受信との間の時間差を推定するように構成された時間差推定モジュールと、  
前記第１のnumerologyおよび前記第２のnumerologyに基づいて第１のダウンリンク閾値を取得し、  
前記推定された時間差と前記第１のダウンリンク閾値との間の関係に基づいて、前記無線デバイスの前記同期状態を決定するように構成された同期状態決定モジュールとを有する。
【０１７２】
［実施形態３８］第１のnumerologyおよび第２のnumerologyに基づいて無線デバイスに対する同期状態を決定するように構成されたネットワークノードであって、前記ネットワークノードは、
前記無線デバイスから、第１のネットワークノードから受信された第１のダウンリンク信号の前記無線デバイスによる受信と第２のネットワークノードから受信された第２のダウンリンク信号の前記無線デバイスによる受信との間の推定された時間差を取得し、
前記第１のnumerologyおよび前記第２のnumerologyに基づいて第１のダウンリンク閾値を取得するように構成された通信インタフェースモジュールと、
前記推定された時間差と前記第１のダウンリンク閾値との間の関係に基づいて、前記無線デバイスの前記同期状態を決定するように構成された同期状態決定モジュールとを有する。
【０１７３】
当業者には理解されるように、本明細書に記載の概念は、方法、データ処理システム、および／またはコンピュータプログラム製品として具現化することができる。したがって、本明細書で説明される概念は、完全にハードウェアの実施形態、完全にソフトウェアの実施形態、または本明細書で一般に「回路」または「モジュール」と呼ばれるソフトウェアおよびハードウェアの態様を組み合わせた実施形態の形を取り得る。更に、本開示は、コンピュータによって実行することができる媒体内に具現化されたコンピュータプログラムコードを有する有形のコンピュータ使用可能記憶媒体上のコンピュータプログラム製品の形をとることができる。ハードディスク、ＣＤ−ＲＯＭ、電子記憶装置、光記憶装置、または磁気記憶装置を含む任意の適切な有形のコンピュータ可読媒体を利用することができる。
【０１７４】
いくつかの実施形態は、方法、システムおよびコンピュータプログラム製品のフローチャート図および／またはブロック図を参照して本明細書で説明される。フローチャート図および／またはブロック図の各ブロック、ならびにフローチャート図および／またはブロック図内のブロックの組み合わせは、コンピュータプログラム命令によって実施できることを理解されよう。これらのコンピュータプログラム命令は、汎用コンピュータ（それによって特殊用途コンピュータを作成する）、特殊用途コンピュータ、または他のプログラム可能なデータ処理装置の１つ以上のプロセッサに提供されて機械を生成することができる。コンピュータまたは他のプログラム可能なデータ処理装置の１つ以上のプロセッサは、フローチャートおよび／またはブロック図のブロックまたはブロックで指定された機能／動作を実施するための手段を作成する。
【０１７５】
これらのコンピュータプログラム命令は、コンピュータまたは他のプログラム可能なデータ処理装置を特定の方法で機能させることができるコンピュータ可読メモリまたは記憶媒体に格納することもでき、その結果、コンピュータ可読メモリに格納された命令は、フローチャートおよび／またはブロック図の１つ以上のブロックにおいて指定された機能／動作を実施する命令手段を含む製品を製造する。
【０１７６】
コンピュータまたは他のプログラム可能な装置上で実行することが、フローチャートおよび／またはブロック図の１つ以上のブロックにおいて指定された機能／動作を実施するためのステップを提供するように、コンピュータプログラム命令はまた、コンピュータまたは他のプログラム可能なデータ処理装置にロードされて、コンピュータまたは他のプログラム可能な装置上で一連の動作ステップを実行させ、コンピュータ実行プロセスを生成させる。
【０１７７】
ブロックに示されている機能／動作は、動作に示されている順序とは異なる順序で行われてもよいことに留意されたい。例えば、関連する機能／動作に応じて、連続して示されている２つのブロックが実際には実質的に同時に実行されてもよく、あるいはブロックが時には逆の順序で実行されてもよい。いくつかの図は、通信の主方向を示すために通信経路上に矢印を含むが、通信は、描かれた矢印と反対方向に起こり得ることを理解されたい。
【０１７８】
本明細書に記載の概念の動作を実行するためのコンピュータプログラムコードは、Ｊａｖａ（登録商標）またはＣ＋＋などのオブジェクト指向プログラミング言語で書くことができる。しかしながら、本開示の動作を実行するためのコンピュータプログラムコードは、「Ｃ」プログラミング言語などの従来の手続き型プログラミング言語で書かれてもよい。プログラムコードは、完全にユーザのコンピュータ上、部分的にユーザのコンピュータ上、単独のソフトウェアパッケージとして、部分的にユーザのコンピュータ上、そして部分的にリモートコンピュータ上で、または全体的にリモートコンピュータ上で実行することができる。後者のシナリオでは、リモートコンピュータは、ローカルエリアネットワーク（ＬＡＮ）またはワイドエリアネットワーク（ＷＡＮ）を介してユーザのコンピュータに接続することができ、または（例えば、インターネットサービスプロバイダを使用してインターネットを介して）接続することができる。
【０１７９】
上記の説明および図面に関連して、多くの異なる実施形態が本明細書に開示されている。これらの実施形態のあらゆる組み合わせおよび部分的組み合わせを文字通りに説明および例示することは、過度に繰り返しかつ難解になることが理解されよう。したがって、全ての実施形態は、任意の方法および／または組み合わせで組み合わせることが可能であり、図面を含む本明細書は、ここに示される実施形態の全ての組み合わせおよび部分的な組み合わせ、ならびにそれらを製造および使用する方法およびプロセスの完全な書面による説明を構成すると解釈され、任意のそのような組み合わせまたは部分的組み合わせに対する請求項をサポートする。
【０１８０】
本明細書に記載の実施形態は、本明細書の上記に特に示され記載されたものに限定されないことが当業者によって理解されるであろう。更に、そうでないことが上記で言及されていない限り、添付の図面のすべてが一定の縮尺ではないことに留意されたい。特許請求の範囲によってのみ制限される上記の教示に照らして、様々な修正形態および変形形態が可能である。
【図１】
2019533924.tif 000007
【図２Ａ】
2019533924.tif 000008
【図２Ｂ】
2019533924.tif 000009
【図２Ｃ】
2019533924.tif 000010
【図２Ｄ】
2019533924.tif 000011
【図３】
2019533924.tif 000012
【図４】
2019533924.tif 000013
【図５】
2019533924.tif 000014
【図６】
2019533924.tif 000015
【図７】
2019533924.tif 000016
【図８】
2019533924.tif 000017
【図９】
2019533924.tif 000018
【図１０】
2019533924.tif 000019
【図１１】
2019533924.tif 000020
【図１２】
2019533924.tif 000021
【図１３】
2019533924.tif 000022
【手続補正書】
【提出日】平成30年10月24日(2018.10.24)
【手続補正１】
【補正対象書類名】特許請求の範囲
【補正対象項目名】全文
【補正方法】変更
【補正の内容】
【特許請求の範囲】
【請求項１】
第１のnumerologyおよび第２のnumerologyに基づいて無線デバイスに対する同期状態を決定するために無線デバイスによって実行される方法であって、
第１のネットワークノードから受信された第１のダウンリンク信号の受信と第２のネットワークノードから受信された第２のダウンリンク信号の受信との間の時間差を推定することであって、前記第１のnumerologyは、前記第１のダウンリンク信号を動作させるために使用され、前記第２のnumerologyは、前記第２のダウンリンク信号を動作させるために使用される、ことと、
前記第１のnumerologyおよび前記第２のnumerologyに基づいてダウンリンク閾値を取得することと、
前記推定された時間差と前記ダウンリンク閾値との間の比較に基づいて、前記無線デバイスの前記同期状態を決定すること、を含む、方法。
【請求項２】
請求項１に記載の方法であって、前記第１のネットワークノードと前記第２のネットワークノードは同じノードである、方法。
【請求項３】
請求項１に記載の方法であって、前記第１のネットワークノードと前記第２のネットワークノードは異なるノードである、方法。
【請求項４】
請求項１から３のいずれか１項に記載の方法であって、更に、同期および非同期マルチコネクティビティのうちの少なくとも一方のサポートに関する前記無線デバイスの能力についての情報を他のノードに指示することを含む、方法。  
【請求項５】
請求項４に記載の方法であって、前記指示は、前記他のノードからの要求の受信に応答して前記他のノードに送信される、方法。
【請求項６】
請求項１から５のいずれか１項に記載の方法であって、更に、少なくとも１つの動作タスクのために前記無線デバイスの前記決定された同期状態を使用することを含む、方法。
【請求項７】
請求項６に記載の方法であって、前記少なくとも１つの動作タスクは、受信信号の復調、信号の送信、無線測定、電力制御方式の選択および適用の少なくとも１つ、前記推定された時間差およびアップリンク送信時間差の少なくとも１つの他の無線デバイスへの送信、前記推定された時間差および前記アップリンク送信時間差の少なくとも１つの他のネットワークノードへの送信、前記無線デバイスの前記同期状態を他のネットワークノードまたは他の無線デバイスへ指示すること、のうちの少なくとも１つを含む、方法。
【請求項８】
請求項７に記載の方法であって、更に、前記無線デバイスにおいて、前記第１のネットワークノードにより運用される第１のセルにおける前記無線デバイスにより送信される第１のアップリンク信号と、前記第２のネットワークノードにより運用される第２のセルにおける前記無線デバイスにより送信される第２のアップリンク信号との間の送信時間差を推定すること、を含む、方法。
【請求項９】
請求項１から８のいずれか１項に記載の方法であって、前記ダウンリンク閾値は、異なるサブキャリア間隔に対応する閾値のテーブルから選択される、方法。
【請求項１０】
請求項１から９のいずれか１項に記載の方法であって、前記無線デバイスの前記同期状態は、前記推定された時間差が前記ダウンリンク閾値を超える場合に同期的であり、そうでない場合に非同期的である、方法。
【請求項１１】
請求項１から９のいずれか１項に記載の方法であって、前記ダウンリンク閾値の大きさは、第１のダウンリンクセルと第２のダウンリンクセルの少なくとも一方において使用されるサブキャリア間隔の増加に伴って減少する、方法。 
【請求項１２】
請求項１から１１のいずれか１項に記載の方法であって、第２のダウンリンク閾値の大きさは、第１のダウンリンクセルと第２のダウンリンクセルの少なくとも一方において使用されるサブキャリア間隔の増加に伴って減少する、方法。 
【請求項１３】
第１のnumerologyおよび第２のnumerologyに基づいて無線デバイスに対する同期状態を決定するように構成された無線デバイスであって、
通信インタフェースと、
処理回路を含み、前記処理回路は、
第１のネットワークノードから受信された第１のダウンリンク信号の受信と第２のネットワークノードから受信された第２のダウンリンク信号の受信との間の時間差を推定し、
前記第１のnumerologyおよび前記第２のnumerologyに基づいてダウンリンク閾値を取得し、ここで、前記第１のnumerologyは、前記第１のダウンリンク信号を動作させるために使用され、前記第２のnumerology第２のダウンリンク信号を動作させるために使用され、
前記推定された時間差と前記ダウンリンク閾値との間の比較に基づいて、前記無線デバイスの前記同期状態を決定する、ように構成される、無線デバイス。 
【請求項１４】
請求項１３に記載の無線デバイスであって、前記第１のネットワークノードと前記第２のネットワークノードは同じノードである、無線デバイス。
【請求項１５】
請求項１３に記載の無線デバイスであって、前記第１のネットワークノードと前記第２のネットワークノードは異なるノードである、無線デバイス。
【請求項１６】
請求項１３から１５のいずれか１項に記載の無線デバイスであって、前記通信インタフェースは、同期および非同期マルチコネクティビティのうちの少なくとも一方のサポートに関する前記無線デバイスの能力についての情報を他のノードに指示するように構成される、無線デバイス。  
【請求項１７】
請求項１６に記載の無線デバイスであって、前記指示は、前記他のノードからの要求の受信に応答して前記他のノードに送信される、無線デバイス。
【請求項１８】
請求項１３から１７のいずれか１項に記載の無線デバイスであって、前記１つ以上のプロセッサは、更に、少なくとも１つの動作タスクのために前記無線デバイスの前記決定された同期状態を使用するように構成される、無線デバイス。
【請求項１９】
請求項１８に記載の無線デバイスであって、前記少なくとも１つの動作タスクは、受信信号の復調、信号の送信、無線測定、電力制御方式の選択および適用の少なくとも１つ、前記推定された時間差およびアップリンク送信時間差の少なくとも１つの別の無線デバイスへの送信、前記推定された時間差および前記アップリンク送信時間差の少なくとも１つの他のネットワークノードへの送信、前記無線デバイスの前記同期状態を他のネットワークノードまたは他の無線デバイスへ指示すること、のうちの少なくとも１つを含む、無線デバイス。
【請求項２０】
請求項１３から１９のいずれか１項に記載の無線デバイスであって、前記１つ以上のプロセッサは、更に、前記第１のネットワークノードにより運用される第１のセルにおける前記無線デバイスにより送信される第１のアップリンク信号と、前記第２のネットワークノードにより運用される第２のセルにおける前記無線デバイスにより送信される第２のアップリンク信号との間の送信時間差を推定するように構成される、無線デバイス。
【請求項２１】
請求項１３から２０のいずれか１項に記載の無線デバイスであって、前記ダウンリンク閾値は、異なるサブキャリア間隔に対応する閾値のテーブルから選択される、無線デバイス。
【請求項２２】
請求項１３から２１のいずれか１項に記載の無線デバイスであって、前記無線デバイスの前記同期状態は、前記推定された時間差が前記ダウンリンク閾値を超える場合に同期的であり、そうでない場合に非同期的である、無線デバイス。
【請求項２３】
請求項１３から２２のいずれか１項に記載の無線デバイスであって、前記ダウンリンク閾値の大きさは、第１のダウンリンクセルと第２のダウンリンクセルの少なくとも一方において使用されるサブキャリア間隔の増加に伴って減少する、無線デバイス。 
【請求項２４】
請求項１３から２２のいずれか１項に記載の無線デバイスであって、第２のダウンリンク閾値の大きさは、第１のダウンリンクセルと第２のダウンリンクセルの少なくとも一方において使用されるサブキャリア間隔の増加に伴って減少する、無線デバイス。 
【請求項２５】
第１のnumerologyおよび第２のnumerologyに基づいて無線デバイスに対する同期状態を決定するためにネットワークノードによって実行される方法であって、
前記無線デバイスから、第１のネットワークノードから受信された第１のダウンリンク信号の前記無線デバイスによる受信と第２のネットワークノードから受信された第２のダウンリンク信号の前記無線デバイスによる受信との間の推定された時間差を取得することであって、前記第１のnumerologyは、前記第１のダウンリンク信号を動作させるために使用され、前記第２のnumerologyは、前記第２のダウンリンク信号を動作させるために使用される、ことと、
前記第１のnumerologyおよび前記第２のnumerologyに基づいてダウンリンク閾値を取得することと、
前記推定された時間差と前記ダウンリンク閾値との間の比較に基づいて、前記無線デバイスの前記同期状態を決定すること、を含む、方法。 
【請求項２６】
請求項２５に記載の方法であって、前記第１のネットワークノードと前記第２のネットワークノードは同じノードである、方法。
【請求項２７】
請求項２５に記載の方法であって、前記第１のネットワークノードと前記第２のネットワークノードは異なるノードである、方法。
【請求項２８】
請求項２５から２７のいずれか１項に記載の方法であって、更に、同期および非同期マルチコネクティビティのうちの少なくとも一方のサポートに関する前記無線デバイスの能力についての情報を取得することを含む、方法。  
【請求項２９】
請求項２８に記載の方法であって、前記情報は、前記ネットワークノードからの前記情報に対する要求に応答して前記無線デバイスから受信される、方法。
【請求項３０】
請求項２５から２９のいずれか１項に記載の方法であって、更に、少なくとも１つの動作タスクのために前記無線デバイスの前記決定された同期状態を使用することを含む、方法。
【請求項３１】
請求項３０に記載の方法であって、前記少なくとも１つの動作タスクは、前記無線デバイスからの信号の受信、前記無線デバイスへの信号の送信、アップリンクおよびダウンリンク信号の少なくとも一方のスケジューリング、無線測定、タイミングアドバンスの推定、測定ギャップの設定の適合化、無線デバイスに使用される間欠受信（ＤＲＸ）設定の適合化、無線デバイスに送信される測定設定の適合化、タイミングアドバンスグループの設定、電力制御方式の選択および設定のいずれか一方、および前記推定された時間差およびアップリンク送信時間差の少なくともいずれかの他のネットワークノードへの送信、のうちの少なくとも１つを含む、方法。
【請求項３２】
請求項２５から３１のいずれか１項に記載の方法であって、更に、ネットワークノードにおいて、第１のセルにおける前記無線デバイスにより送信された第１のアップリンク信号と第２のセルにおける前記無線デバイスにより送信された第２のアップリンク信号との間の、前記無線デバイスにより推定された、送信時間差を取得することを含む、方法。
【請求項３３】
第１のnumerologyおよび第２のnumerologyに基づいて無線デバイスに対する同期状態を決定するように構成されたネットワークノードであって、前記ネットワークノードは、
通信インタフェースであって、
前記無線デバイスから、第１のネットワークノードから受信された第１のダウンリンク信号の前記無線デバイスによる受信と第２のネットワークノードから受信された第２のダウンリンク信号の前記無線デバイスによる受信との間の推定された時間差を取得し、ここで、前記第１のnumerologyは、前記第１のダウンリンク信号を動作させるために使用され、前記第２のnumerologyは、前記第２のダウンリンク信号を動作させるために使用され、
前記第１のnumerologyおよび前記第２のnumerologyに基づいてダウンリンク閾値を取得するように構成された通信インタフェースと、 
処理回路であって、
前記推定された時間差と前記ダウンリンク閾値との間の比較に基づいて、前記無線デバイスの前記同期状態を決定する、ように構成された処理回路とを有する、ネットワークノード。 
【請求項３４】
請求項３３に記載のネットワークノードであって、前記第１のネットワークノードと前記第２のネットワークノードは同じノードである、ネットワークノード。
【請求項３５】
請求項３３に記載のネットワークノードであって、前記第１のネットワークノードと前記第２のネットワークノードは異なるノードである、ネットワークノード。
【請求項３６】
請求項３３から３５のいずれか１項に記載のネットワークノードであって、前記通信インタフェースは、更に、同期および非同期マルチコネクティビティのうちの少なくとも一方のサポートに関する前記無線デバイスの能力についての情報を取得するように構成される、ネットワークノード。  
【請求項３７】
請求項３６に記載のネットワークノードであって、前記情報は、前記ネットワークノードからの前記情報に対する要求に応答して前記無線デバイスから受信される、ネットワークノード。
【請求項３８】
請求項３３から３７のいずれか１項に記載のネットワークノードであって、前記処理回路は、更に、少なくとも１つの動作タスクのために前記無線デバイスの前記決定された同期状態を使用するように構成される、ネットワークノード。
【請求項３９】
請求項３８に記載のネットワークノードであって、前記少なくとも１つの動作タスクは、前記無線デバイスからの信号の受信、前記無線デバイスへの信号の送信、アップリンクおよびダウンリンク信号の少なくとも一方のスケジューリング、無線測定、タイミングアドバンスの推定、測定ギャップの設定の適合化、無線デバイスに使用される間欠受信（ＤＲＸ）設定の適合化、無線デバイスに送信される測定設定の適合化、タイミングアドバンスグループの設定、電力制御方式の選択および設定のいずれか一方、および前記推定された時間差およびアップリンク送信時間差のすくなくともいずれかの他のネットワークノードへの送信、のうちの少なくとも１つを含む、ネットワークノード。
【請求項４０】
請求項３３から３９のいずれか１項に記載のネットワークノードであって、前記通信インタフェースは、更に、第１のセルにおける前記無線デバイスにより送信された第１のアップリンク信号と第２のセルにおける前記無線デバイスにより送信された第２のアップリンク信号との間の、前記無線デバイスにより推定された、送信時間差を取得するように構成される、ネットワークノード。 
【請求項４１】
第１のnumerologyおよび第２のnumerologyに基づいて無線デバイスに対する同期状態を決定するために無線デバイスによって実行される方法であって、  
前記無線デバイスにより送信された第１のアップリンク信号の送信時間と、前記無線デバイスにより送信された第２のアップリンク信号の送信時間との間の時間差を推定することであって、前記第１のnumerologyは、前記第１のアップリンク信号を動作させるために使用され、前記第２のnumerologyは、第２のアップリンク信号を動作させるために使用される、ことと、  
前記第１のnumerologyおよび前記第２のnumerologyに基づいてアップリンク閾値を取得することと、
前記推定された時間差と前記アップリンク閾値との間の比較に基づいて、前記無線デバイスの前記同期状態を決定することを含む、方法。 
【請求項４２】
請求項４１に記載の方法であって、前記第１のネットワークノード（３４）と前記第２のネットワークノードは同じノードである、方法。
【請求項４３】
請求項４１に記載の方法であって、前記第１のネットワークノードと前記第２のネットワークノードは異なるノードである、方法。
【請求項４４】
請求項４１、４２、および４３のいずれか１項に記載の方法であって、前記アップリンク閾値の大きさは、第１のアップリンクセルと第２のアップリンクセルの少なくとも一方において使用されるサブキャリア間隔の増加に伴って減少する、方法。 
【請求項４５】
請求項４１、４２、および４３のいずれか１項に記載の方法であって、第２のアップリンク閾値の大きさは、第１のアップリンクセルと第２のアップリンクセルの少なくとも一方において使用されるサブキャリア間隔の増加に伴って減少する、方法。
【請求項４６】
第１のnumerologyおよび第２のnumerologyに基づいて無線デバイスに対する同期状態を決定するように構成された無線デバイスであって、
処理回路であって、
前記無線デバイスにより送信された第１のアップリンク信号の送信時間と、前記無線デバイスにより送信された第２のアップリンク信号の送信時間との間の時間差を推定し、ここで、前記第１のnumerologyは、前記第１のアップリンク信号を動作させるために使用され、前記第２のnumerologyは、前記第２のアップリンク信号を動作させるために使用され
前記第１のnumerologyおよび前記第２のnumerologyに基づいてアップリンク閾値を取得し、 
前記推定された時間差と前記アップリンク閾値との間の比較に基づいて、前記無線デバイスの前記同期状態を決定するように構成された処理回路を有する、無線デバイス。 
【請求項４７】
請求項４６に記載の無線デバイスであって、前記第１のネットワークノードと前記第２のネットワークノードは同じノードである、無線デバイス。
【請求項４８】
請求項４６に記載の無線デバイスであって、前記第１のネットワークノードと前記第２のネットワークノードは異なるノードである、無線デバイス。
【請求項４９】
請求項４６、４７、および４８のいずれか１項に記載の方法であって、前記アップリンク閾値の大きさは、第１のアップリンクセルと第２のアップリンクセルの少なくとも一方において使用されるサブキャリア間隔の増加に伴って減少する、方法。 
【請求項５０】
請求項４６、４７、および４８のいずれか１項に記載の方法であって、第２のアップリンク閾値の大きさは、第１のアップリンクセルと第２のアップリンクセルの少なくとも一方において使用されるサブキャリア間隔の増加に伴って減少する、方法。
【請求項５１】
第１のnumerologyおよび第２のnumerologyに基づいて無線デバイスに対する同期状態を決定するためにネットワークノードによって実行される方法であって、
前記無線デバイスから、第１のアップリンク信号の送信と第２のアップリンク信号の送信との間の推定された時間差を取得することであって、前記第１のnumerologyは、前記第１のアップリンク信号を動作させるために使用され、前記第２のnumerologyは、前記第２のアップリンク信号を動作させるために使用される、ことと、
前記第１のnumerologyおよび前記第２のnumerologyに基づいてアップリンク閾値を取得することと、
前記推定された時間差と前記アップリンク閾値との間の比較に基づいて、前記無線デバイスの前記同期状態を決定することを含む、方法。 
【請求項５２】
請求項５１に記載の方法であって、前記第１のネットワークノードと前記第２のネットワークノードは同じノードである、方法。
【請求項５３】
請求項５１に記載の方法であって、前記第１のネットワークノードと前記第２のネットワークノードは異なるノードである、方法。
【請求項５４】
第１のnumerologyおよび第２のnumerologyに基づいて無線デバイスに対する同期状態を決定するように構成されたネットワークノードであって、前記ネットワークノードは、
処理回路であって、
前記無線デバイスから、第１のアップリンク信号の送信と第２のアップリンク信号の送信との間の推定された時間差を取得し、ここで、前記第１のnumerologyは、前記第１のアップリンク信号を動作させるために使用され、前記第２のnumerologyは、前記第２のアップリンク信号を動作させるために使用され、
前記第１のnumerologyおよび前記第２のnumerologyに基づいてアップリンク閾値を取得し、
前記推定された時間差と前記アップリンク閾値との間の比較に基づいて、前記無線デバイスの前記同期状態を決定するように構成された処理回路を有する、ネットワークノード。 
【請求項５５】
請求項５４に記載のネットワークノードであって、前記第１のネットワークノードと前記第２のネットワークノードは同じノードである、ネットワークノード。
【請求項５６】
請求項５４に記載のネットワークノードであって、前記第１のネットワークノードと前記第２のネットワークノードは異なるノードである、ネットワークノード。
【請求項５７】
第１のnumerologyおよび第２のnumerologyに基づいて無線デバイスに対する同期状態を決定するために無線デバイスによって実行される方法であって、
前記無線デバイスと第１のネットワークノードおよび第２のネットワークノードとの間でそれぞれ交換された第１の信号と第２の信号との間の送信時間差を推定することであって、前記第１のnumerologyは、前記第１の信号を動作させるために使用され、前記第２のnumerologyは、前記第２の信号を動作させるために使用される、ことと、
前記第１のnumerologyおよび前記第２のnumerologyに基づいて閾値を取得することと、 
前記推定された時間差と前記閾値との間の比較に基づいて、前記無線デバイスの前記同期状態を決定することを含む、方法。
【請求項５８】
請求項５７に記載の方法であって、前記第１の信号は前記第１のネットワークノードからの第１のダウンリンク信号であり、前記第２の信号は前記第２のネットワークノードからの第２のダウンリンク信号であり、前記送信時間差を推定することは、前記第１のネットワークノードから受信された第１のダウンリンク信号の受信と、前記第２のネットワークノードから受信された前記第２のダウンリンク信号の受信との間の時間差を推定することを含む、方法。
【請求項５９】
請求項５８に記載の方法であって、前記閾値を取得することは、ダウンリンク閾値を取得することを含む、方法。
【請求項６０】
請求項５７に記載の方法であって、前記第１の信号は第１のアップリンク信号であり、前記第２の信号は第２のアップリンク信号であり、前記送信時間差を推定することは、前記第１のアップリンク信号を前記第１のネットワークノードへ送信することと、前記第２のアップリンク信号を前記第２のネットワークノードへ送信することの時間差を推定することを含む、方法。
【請求項６１】
請求項６０に記載の方法であって、前記閾値を取得することは、アップリンク閾値を取得することを含む、方法。
【請求項６２】
データ送信に対して定義された、第１のnumerologyおよび第２のnumerologyに基づいて無線デバイスに対する同期状態を決定するための無線デバイスであって、
処理回路であって、
前記無線デバイスと第１のネットワークノードおよび第２のネットワークノードとの間でそれぞれ交換された第１の信号と第２の信号との間の送信時間差を推定し、ここで、前記第１のnumerologyは、前記第１の信号を動作させるために使用され、前記第２のnumerologyは、前記第２の信号を動作させるために使用され、
前記第１のnumerologyおよび前記第２のnumerologyに基づいて閾値を取得し、 
前記推定された時間差と前記閾値との間の比較に基づいて、前記無線デバイスの前記同期状態を決定するように構成された処理回路を有する無線デバイス。
【請求項６３】
請求項６２に記載の無線デバイスであって、前記第１の信号は前記第１のネットワークノードからの第１のダウンリンク信号であり、前記第２の信号は前記第２のネットワークノードからの第２のダウンリンク信号であり、前記送信時間差を推定することは、前記第１のネットワークノードから受信された第１のダウンリンク信号の受信と、前記第２のネットワークノードから受信された前記第２のダウンリンク信号の受信との間の時間差を推定することを含む、無線デバイス。
【請求項６４】
請求項６３に記載の無線デバイスであって、前記閾値を取得することは、ダウンリンク閾値を取得することを含む、無線デバイス。
【請求項６５】
請求項６２に記載の無線デバイスであって、前記第１の信号は第１のアップリンク信号であり、前記第２の信号は第２のアップリンク信号であり、前記送信時間差を推定することは、前記第１のアップリンク信号を前記第１のネットワークノードへ送信することと、前記第２のアップリンク信号を前記第２のネットワークノードへ送信することの時間差を推定することを含む、無線デバイス。
【請求項６６】
請求項６５に記載の無線デバイスであって、前記閾値を取得することは、アップリンク閾値を取得することを含む、無線デバイス。
【請求項６７】
データ送信に対して定義された、第１のnumerologyおよび第２のnumerologyに基づいて無線デバイスに対する同期状態を決定するためにネットワークノードによって実行される方法であって、
前記無線デバイスから、前記無線デバイスと第１のネットワークノードおよび第２のネットワークノードとの間でそれぞれ交換された第１の信号と第２の信号との間の推定された送信時間差を取得することであって、前記第１のnumerologyは、前記第１の信号を動作させるために使用され、前記第２のnumerologyは、前記第２の信号を動作させるために使用される、ことと、
前記第１のnumerologyおよび前記第２のnumerologyに基づいて閾値を取得することと、
前記推定された時間差と前記閾値との間の比較に基づいて、前記無線デバイスの前記同期状態を決定することを含む、方法。 
【請求項６８】
請求項６７に記載の方法であって、前記第１の信号は前記第１のネットワークノードからの第１のダウンリンク信号であり、前記第２の信号は前記第２のネットワークノードからの第２のダウンリンク信号であり、前記送信時間差を推定することは、前記第１のネットワークノードから受信された第１のダウンリンク信号の受信と、前記第２のネットワークノードから受信された前記第２のダウンリンク信号の受信との間の時間差を推定することを含む、方法。
【請求項６９】
請求項６８に記載の方法であって、前記閾値を取得することは、ダウンリンク閾値を取得することを含む、方法。
【請求項７０】
請求項６７に記載の方法であって、前記第１の信号は第１のアップリンク信号であり、前記第２の信号は第２のアップリンク信号であり、前記送信時間差を推定することは、前記第１のアップリンク信号を前記第１のネットワークノードへ送信することと、前記第２のアップリンク信号を前記第２のネットワークノードへ送信することの時間差を推定することを含む、方法。
【請求項７１】
請求項７０に記載の方法であって、前記閾値を取得することは、アップリンク閾値を取得することを含む、方法。
【請求項７２】
データ送信に対して定義された、第１のnumerologyおよび第２のnumerologyに基づいて無線デバイスに対する同期状態を決定するためのネットワークノードであって、
処理回路であって、 
前記無線デバイスから、前記無線デバイスと第１のネットワークノードおよび第２のネットワークノードとの間でそれぞれ交換された第１の信号と第２の信号との間の推定された送信時間差を取得し、ここで、前記第１のnumerologyは、前記第１の信号を動作させるために使用され、前記第２のnumerologyは、前記第２の信号を動作させるために使用され、
前記第１のnumerologyおよび前記第２のnumerologyに基づいて閾値を取得し、
前記推定された時間差と前記閾値との間の比較に基づいて、前記無線デバイスの前記同期状態を決定するように構成された処理回路を有する、ネットワークノード。 
【請求項７３】
請求項７２に記載のネットワークノードであって、前記第１の信号は前記第１のネットワークノードからの第１のダウンリンク信号であり、前記第２の信号は前記第２のネットワークノードからの第２のダウンリンク信号であり、前記送信時間差を推定することは、前記第１のネットワークノードから受信された第１のダウンリンク信号の受信と、前記第２のネットワークノードから受信された前記第２のダウンリンク信号の受信との間の時間差を推定することを含む、ネットワークノード。
【請求項７４】
請求項７３に記載のネットワークノードであって、前記閾値を取得することは、ダウンリンク閾値を取得することを含む、ネットワークノード。
【請求項７５】
請求項７２に記載のネットワークノードであって、前記第１の信号は第１のアップリンク信号であり、前記第２の信号は第２のアップリンク信号であり、前記送信時間差を推定することは、前記第１のアップリンク信号を前記第１のネットワークノードへ送信することと、前記第２のアップリンク信号を前記第２のネットワークノードへ送信することの時間差を推定することを含む、ネットワークノード。
【請求項７６】
請求項７５に記載のネットワークノードであって、前記閾値を取得することは、アップリンク閾値を取得することを含む、ネットワークノード。
【手続補正書】
【提出日】令和1年5月13日(2019.5.13)
【手続補正１】
【補正対象書類名】特許請求の範囲
【補正対象項目名】全文
【補正方法】変更
【補正の内容】
【特許請求の範囲】
【請求項１】
第１のnumerologyおよび第２のnumerologyに基づいて無線デバイスに対する同期状態を決定するように構成された無線デバイスであって、
通信インタフェースと、
処理回路を含み、前記処理回路は、
第１のネットワークノードから受信された第１のダウンリンク信号の受信と第２のネットワークノードから受信された第２のダウンリンク信号の受信との間の時間差を推定し、ここで、前記第１のnumerologyは、前記第１のダウンリンク信号を動作させるために使用され、前記第２のnumerology第２のダウンリンク信号を動作させるために使用され、
前記第１のnumerologyおよび前記第２のnumerologyに基づいてダウンリンク閾値を取得し、
前記推定された時間差と前記ダウンリンク閾値との間の比較に基づいて、前記無線デバイスの前記同期状態を決定する、ように構成される、無線デバイス。 
【請求項２】
請求項１に記載の無線デバイスであって前記第１のnumerologyは、前記第１のダウンリンク信号を動作させるために使用され、前記第２のnumerology第２のダウンリンク信号を動作させるために使用される、無線デバイス。
【請求項３】
請求項１に記載の無線デバイスであって、前記第１のネットワークノードと前記第２のネットワークノードは同じノードである、無線デバイス。
【請求項４】
請求項１に記載の無線デバイスであって、前記通信インタフェースは、同期および非同期マルチコネクティビティのうちの少なくとも一方のサポートに関する前記無線デバイスの能力についての情報を他のノードに指示するように構成される、無線デバイス。  
【請求項５】
請求項１に記載の無線デバイスであって、前記１つ以上のプロセッサは、更に、少なくとも１つの動作タスクのために前記無線デバイスの前記決定された同期状態を使用するように構成され、前記少なくとも１つの動作タスクは、受信信号の復調、信号の送信、無線測定、電力制御方式の選択および適用の少なくとも１つ、前記推定された時間差およびアップリンク送信時間差の少なくとも１つの別の無線デバイスへの送信、前記推定された時間差および前記アップリンク送信時間差の少なくとも１つの他のネットワークノードへの送信、前記無線デバイスの前記同期状態を他のネットワークノードまたは他の無線デバイスへ指示すること、のうちの少なくとも１つを含む、無線デバイス。
【請求項６】
請求項１に記載の無線デバイスであって、前記１つ以上のプロセッサは、更に、前記第１のネットワークノードにより運用される第１のセルにおける前記無線デバイスにより送信される第１のアップリンク信号と、前記第２のネットワークノードにより運用される第２のセルにおける前記無線デバイスにより送信される第２のアップリンク信号との間の送信時間差を推定するように構成される、無線デバイス。
【請求項７】
請求項１に記載の無線デバイスであって、前記ダウンリンク閾値は、異なるサブキャリア間隔に対応する閾値のテーブルから選択される、無線デバイス。
【請求項８】
請求項１に記載の無線デバイスであって、前記無線デバイスの前記同期状態は、前記推定された時間差が前記ダウンリンク閾値を超える場合に同期的であり、そうでない場合に非同期的である、無線デバイス。
【請求項９】
請求項１に記載の無線デバイスであって、前記ダウンリンク閾値の大きさは、第１のダウンリンクセルと第２のダウンリンクセルの少なくとも一方において使用されるサブキャリア間隔の増加に伴って減少する、無線デバイス。 
【請求項１０】
請求項１に記載の無線デバイスであって、第２のダウンリンク閾値の大きさは、第１のダウンリンクセルと第２のダウンリンクセルの少なくとも一方において使用されるサブキャリア間隔の増加に伴って減少する、無線デバイス。 
【請求項１１】
第１のnumerologyおよび第２のnumerologyに基づいて無線デバイスに対する同期状態を決定するように構成されたネットワークノードであって、前記ネットワークノードは、
通信インタフェースであって、
前記無線デバイスから、第１のネットワークノードから受信された第１のダウンリンク信号の前記無線デバイスによる受信と第２のネットワークノードから受信された第２のダウンリンク信号の前記無線デバイスによる受信との間の推定された時間差を取得し、ここで、前記第１のnumerologyは、前記第１のダウンリンク信号を動作させるために使用され、前記第２のnumerologyは、前記第２のダウンリンク信号を動作させるために使用され、
前記第１のnumerologyおよび前記第２のnumerologyに基づいてダウンリンク閾値を取得するように構成された通信インタフェースと、 
処理回路であって、
前記推定された時間差と前記ダウンリンク閾値との間の比較に基づいて、前記無線デバイスの前記同期状態を決定する、ように構成された処理回路とを有する、ネットワークノード。 
【請求項１２】
請求項１１に記載のネットワークノードであって、前記第１のnumerologyは、前記第１のダウンリンク信号を動作させるために使用され、前記第２のnumerologyは、前記第２のダウンリンク信号を動作させるために使用される、ネットワークノード。
【請求項１３】
請求項１１に記載のネットワークノードであって、前記第１のネットワークノードと前記第２のネットワークノードは同じノードである、ネットワークノード。
【請求項１４】
請求項１１に記載のネットワークノードであって、前記通信インタフェースは、更に、同期および非同期マルチコネクティビティのうちの少なくとも一方のサポートに関する前記無線デバイスの能力についての情報を取得するように構成される、ネットワークノード。  
【請求項１５】
請求項１１に記載のネットワークノードであって、前記処理回路は、更に、少なくとも１つの動作タスクのために前記無線デバイスの前記決定された同期状態を使用するように構成され、前記少なくとも１つの動作タスクは、前記無線デバイスからの信号の受信、前記無線デバイスへの信号の送信、アップリンクおよびダウンリンク信号の少なくとも一方のスケジューリング、無線測定、タイミングアドバンスの推定、測定ギャップの設定の適合化、無線デバイスに使用される間欠受信（ＤＲＸ）設定の適合化、無線デバイスに送信される測定設定の適合化、タイミングアドバンスグループの設定、電力制御方式の選択および設定のいずれか一方、および前記推定された時間差およびアップリンク送信時間差のすくなくともいずれかの他のネットワークノードへの送信、のうちの少なくとも１つを含む、ネットワークノード。
【請求項１６】
請求項１１に記載のネットワークノードであって、前記通信インタフェースは、更に、第１のセルにおける前記無線デバイスにより送信された第１のアップリンク信号と第２のセルにおける前記無線デバイスにより送信された第２のアップリンク信号との間の、前記無線デバイスにより推定された、送信時間差を取得するように構成される、ネットワークノード。 
【請求項１７】
第１のnumerologyおよび第２のnumerologyに基づいて無線デバイスに対する同期状態を決定するように構成された無線デバイスであって、
処理回路であって、
前記無線デバイスにより送信された第１のアップリンク信号の送信時間と、前記無線デバイスにより送信された第２のアップリンク信号の送信時間との間の時間差を推定し、ここで、前記第１のnumerologyは、前記第１のアップリンク信号を動作させるために使用され、前記第２のnumerologyは、前記第２のアップリンク信号を動作させるために使用され
前記第１のnumerologyおよび前記第２のnumerologyに基づいてアップリンク閾値を取得し、 
前記推定された時間差と前記アップリンク閾値との間の比較に基づいて、前記無線デバイスの前記同期状態を決定するように構成された処理回路を有する、無線デバイス。
【請求項１８】
請求項１７に記載の無線デバイスであって、前記第１のnumerologyは、前記第１のアップリンク信号を動作させるために使用され、前記第２のnumerologyは、前記第２のアップリンク信号を動作させるために使用される、無線デバイス。
【請求項１９】
請求項１７に記載の無線デバイスであって、前記第１のネットワークノードと前記第２のネットワークノードは同じノードである、無線デバイス。
【請求項２０】
第１のnumerologyおよび第２のnumerologyに基づいて無線デバイスに対する同期状態を決定するように構成されたネットワークノードであって、前記ネットワークノードは、
処理回路であって、
前記無線デバイスから、第１のアップリンク信号の送信と第２のアップリンク信号の送信との間の推定された時間差を取得し、ここで、前記第１のnumerologyは、前記第１のアップリンク信号を動作させるために使用され、前記第２のnumerologyは、前記第２のアップリンク信号を動作させるために使用され、
前記第１のnumerologyおよび前記第２のnumerologyに基づいてアップリンク閾値を取得し、
前記推定された時間差と前記アップリンク閾値との間の比較に基づいて、前記無線デバイスの前記同期状態を決定するように構成された処理回路を有する、ネットワークノード。 
【請求項２１】
請求項２０に記載のネットワークノードであって、前記第１のnumerologyは、前記第１のアップリンク信号を動作させるために使用され、前記第２のnumerologyは、前記第２のアップリンク信号を動作させるために使用される、ネットワークノード。
【請求項２２】
請求項２０に記載のネットワークノードであって、前記第１のネットワークノードと前記第２のネットワークノードは同じノードである、ネットワークノード。
【請求項２３】
データ送信に対して定義された、第１のnumerologyおよび第２のnumerologyに基づいて無線デバイスに対する同期状態を決定するための無線デバイスであって、
処理回路であって、
前記無線デバイスと第１のネットワークノードおよび第２のネットワークノードとの間でそれぞれ交換された第１の信号と第２の信号との間の送信時間差を推定し、ここで、前記第１のnumerologyは、前記第１の信号を動作させるために使用され、前記第２のnumerologyは、前記第２の信号を動作させるために使用され、
前記第１のnumerologyおよび前記第２のnumerologyに基づいて閾値を取得し、 
前記推定された時間差と前記閾値との間の比較に基づいて、前記無線デバイスの前記同期状態を決定するように構成された処理回路を有する無線デバイス。
【請求項２４】
請求項２３に記載の無線デバイスであって、前記第１の信号は前記第１のネットワークノードからの第１のダウンリンク信号であり、前記第２の信号は前記第２のネットワークノードからの第２のダウンリンク信号であり、前記送信時間差を推定することは、前記第１のネットワークノードから受信された第１のダウンリンク信号の受信と、前記第２のネットワークノードから受信された前記第２のダウンリンク信号の受信との間の時間差を推定することを含み、前記閾値を取得することは、ダウンリンク閾値を取得することを含む、無線デバイス。
【請求項２５】
請求項２４に記載の無線デバイスであって、前記第１の信号は第１のアップリンク信号であり、前記第２の信号は第２のアップリンク信号であり、前記送信時間差を推定することは、前記第１のアップリンク信号を前記第１のネットワークノードへ送信することと、前記第２のアップリンク信号を前記第２のネットワークノードへ送信することの時間差を推定することを含み、前記閾値を取得することは、アップリンク閾値を取得することを含む、無線デバイス。
【手続補正書】
【提出日】令和1年6月7日(2019.6.7)
【手続補正１】
【補正対象書類名】特許請求の範囲
【補正対象項目名】全文
【補正方法】変更
【補正の内容】
【特許請求の範囲】
【請求項１】
第１のnumerology（ヌメロロジ―）および前記第１のnumerologyと異なる第２のnumerologyに基づいて無線デバイスに対する同期状態を決定するために無線デバイスによって実行される方法であって、
第１のネットワークノードから受信された第１のダウンリンク信号の受信と第２のネットワークノードから受信された第２のダウンリンク信号の受信との間の時間差を推定することであって、前記第１のnumerologyは、前記第１のダウンリンク信号を動作させるために使用され、前記第２のnumerology第２のダウンリンク信号を動作させるために使用される、ことと、
前記第１のnumerologyおよび前記第２のnumerologyに基づいてダウンリンク閾値を取得することと、
前記推定された時間差と前記ダウンリンク閾値との間の比較に基づいて、前記無線デバイスの前記同期状態を決定すること、を含む、方法。
【請求項２】
請求項１に記載の方法であって、更に、同期および非同期マルチコネクティビティのうちの少なくとも一方のサポートに関する前記無線デバイスの能力についての情報を他のノードに指示することを含む、方法。
【請求項３】
請求項１または２に記載の方法であって、更に、少なくとも１つの動作タスクのために前記無線デバイスの前記決定された同期状態を使用することを含み、前記少なくとも１つの動作タスクは、受信信号の復調、信号の送信、無線測定、電力制御方式の選択および適用の少なくとも１つ、前記推定された時間差およびアップリンク送信時間差の少なくとも１つの他の無線デバイスへの送信、前記推定された時間差および前記アップリンク送信時間差の少なくとも１つの他のネットワークノードへの送信、前記無線デバイスの前記同期状態を他のネットワークノードまたは他の無線デバイスへ指示すること、のうちの少なくとも１つを含む、方法。
【請求項４】
請求項１から３のいずれか１項に記載の方法であって、更に、前記無線デバイスにおいて、前記第１のネットワークノードにより運用される第１のセルにおける前記無線デバイスにより送信される第１のアップリンク信号と、前記第２のネットワークノードにより運用される第２のセルにおける前記無線デバイスにより送信される第２のアップリンク信号との間の送信時間差を推定すること、を含む、方法。
【請求項５】
請求項１から４のいずれか１項に記載の方法であって、前記ダウンリンク閾値は、異なるサブキャリア間隔に対応する閾値のテーブルから選択される、方法。
【請求項６】
請求項１から５のいずれか１項に記載の方法であって、前記無線デバイスの前記同期状態は、前記推定された時間差が前記ダウンリンク閾値を超える場合に非同期的であり、そうでない場合に同期的である、方法。
【請求項７】
第１のnumerology（ヌメロロジ―）および第２のnumerologyに基づいて無線デバイスに対する同期状態を決定するように構成された無線デバイスであって、
通信インタフェースと、
処理回路を含み、前記処理回路は、
第１のネットワークノードから受信された第１のダウンリンク信号の受信と第２のネットワークノードから受信された第２のダウンリンク信号の受信との間の時間差を推定し、ここで、前記第１のnumerologyは、前記第１のダウンリンク信号を動作させるために使用され、前記第２のnumerologyは、第２のダウンリンク信号を動作させるために使用され、
前記第１のnumerologyおよび前記第２のnumerologyに基づいてダウンリンク閾値を取得し、
前記推定された時間差と前記ダウンリンク閾値との間の比較に基づいて、前記無線デバイスの前記同期状態を決定する、ように構成される、無線デバイス。 
【請求項８】
請求項７に記載の無線デバイスであって、前記第１のネットワークノードと前記第２のネットワークノードは同じノードである、無線デバイス。
【請求項９】
請求項７に記載の無線デバイスであって、前記通信インタフェースは、同期および非同期マルチコネクティビティのうちの少なくとも一方のサポートに関する前記無線デバイスの能力についての情報を他のノードに指示するように構成される、無線デバイス。  
【請求項１０】
請求項７に記載の無線デバイスであって、前記処理回路は、更に、少なくとも１つの動作タスクのために前記無線デバイスの前記決定された同期状態を使用するように構成され、前記少なくとも１つの動作タスクは、受信信号の復調、信号の送信、無線測定、電力制御方式の選択および適用の少なくとも１つ、前記推定された時間差およびアップリンク送信時間差の少なくとも１つの別の無線デバイスへの送信、前記推定された時間差および前記アップリンク送信時間差の少なくとも１つの他のネットワークノードへの送信、前記無線デバイスの前記同期状態を他のネットワークノードまたは他の無線デバイスへ指示すること、のうちの少なくとも１つを含む、無線デバイス。
【請求項１１】
請求項７に記載の無線デバイスであって、前記処理回路は、更に、前記第１のネットワークノードにより運用される第１のセルにおける前記無線デバイスにより送信される第１のアップリンク信号と、前記第２のネットワークノードにより運用される第２のセルにおける前記無線デバイスにより送信される第２のアップリンク信号との間の送信時間差を推定するように構成される、無線デバイス。
【請求項１２】
請求項７に記載の無線デバイスであって、前記ダウンリンク閾値は、異なるサブキャリア間隔に対応する閾値のテーブルから選択される、無線デバイス。
【請求項１３】
請求項７に記載の無線デバイスであって、前記無線デバイスの前記同期状態は、前記推定された時間差が前記ダウンリンク閾値を超える場合に非同期的であり、そうでない場合に同期的である、無線デバイス。
【請求項１４】
請求項７に記載の無線デバイスであって、前記ダウンリンク閾値の大きさは、第１のダウンリンクセルと第２のダウンリンクセルの少なくとも一方において使用されるサブキャリア間隔の増加に伴って減少する、無線デバイス。 
【請求項１５】
請求項７に記載の無線デバイスであって、第２のダウンリンク閾値の大きさは、第１のダウンリンクセルと第２のダウンリンクセルの少なくとも一方において使用されるサブキャリア間隔の増加に伴って減少する、無線デバイス。 
【請求項１６】
第１のnumerology（ヌメロロジ―）および第２のnumerologyに基づいて無線デバイスに対する同期状態を決定するように構成されたネットワークノードであって、前記ネットワークノードは、
通信インタフェースであって、
前記無線デバイスから、第１のネットワークノードから受信された第１のダウンリンク信号の前記無線デバイスによる受信と第２のネットワークノードから受信された第２のダウンリンク信号の前記無線デバイスによる受信との間の推定された時間差を取得し、ここで、前記第１のnumerologyは、前記第１のダウンリンク信号を動作させるために使用され、前記第２のnumerologyは、前記第２のダウンリンク信号を動作させるために使用され、
前記第１のnumerologyおよび前記第２のnumerologyに基づいてダウンリンク閾値を取得するように構成された通信インタフェースと、 
処理回路であって、
前記推定された時間差と前記ダウンリンク閾値との間の比較に基づいて、前記無線デバイスの前記同期状態を決定する、ように構成された処理回路とを有する、ネットワークノード。 
【請求項１７】
請求項１６に記載のネットワークノードであって、前記第１のネットワークノードと前記第２のネットワークノードは同じノードである、ネットワークノード。
【請求項１８】
請求項１６に記載のネットワークノードであって、前記通信インタフェースは、更に、同期および非同期マルチコネクティビティのうちの少なくとも一方のサポートに関する前記無線デバイスの能力についての情報を取得するように構成される、ネットワークノード。  
【請求項１９】
請求項１６に記載のネットワークノードであって、前記処理回路は、更に、少なくとも１つの動作タスクのために前記無線デバイスの前記決定された同期状態を使用するように構成され、前記少なくとも１つの動作タスクは、前記無線デバイスからの信号の受信、前記無線デバイスへの信号の送信、アップリンクおよびダウンリンク信号の少なくとも一方のスケジューリング、無線測定、タイミングアドバンスの推定、測定ギャップの設定の適合化、無線デバイスに使用される非連続受信（ＤＴＸ）設定の適合化、無線デバイスに送信される測定設定の適合化、タイミングアドバンスグループの設定、電力制御方式の選択および設定のいずれか一方、および前記推定された時間差およびアップリンク送信時間差のすくなくともいずれかの他のネットワークノードへの送信、のうちの少なくとも１つを含む、ネットワークノード。
【請求項２０】
請求項１６に記載のネットワークノードであって、前記通信インタフェースは、更に、第１のセルにおける前記無線デバイスにより送信された第１のアップリンク信号と第２のセルにおける前記無線デバイスにより送信された第２のアップリンク信号との間の、前記無線デバイスにより推定された、送信時間差を取得するように構成される、ネットワークノード。 
【請求項２１】
第１のnumerology（ヌメロロジ―）および第２のnumerologyに基づいて無線デバイスに対する同期状態を決定するように構成された無線デバイスであって、
処理回路であって、
前記無線デバイスにより送信された第１のアップリンク信号の送信時間と、前記無線デバイスにより送信された第２のアップリンク信号の送信時間との間の時間差を推定し、ここで、前記第１のnumerologyは、前記第１のアップリンク信号を動作させるために使用され、前記第２のnumerologyは、前記第２のアップリンク信号を動作させるために使用され
前記第１のnumerologyおよび前記第２のnumerologyに基づいてアップリンク閾値を取得し、 
前記推定された時間差と前記アップリンク閾値との間の比較に基づいて、前記無線デバイスの前記同期状態を決定するように構成された処理回路を有する、無線デバイス。
【請求項２２】
第１のnumerology（ヌメロロジ―）および第２のnumerologyに基づいて無線デバイスに対する同期状態を決定するように構成されたネットワークノードであって、前記ネットワークノードは、
処理回路であって、
前記無線デバイスから、第１のアップリンク信号の送信と第２のアップリンク信号の送信との間の推定された時間差を取得し、ここで、前記第１のnumerologyは、前記第１のアップリンク信号を動作させるために使用され、前記第２のnumerologyは、前記第２のアップリンク信号を動作させるために使用され、
前記第１のnumerologyおよび前記第２のnumerologyに基づいてアップリンク閾値を取得し、
前記推定された時間差と前記アップリンク閾値との間の比較に基づいて、前記無線デバイスの前記同期状態を決定するように構成された処理回路を有する、ネットワークノード。 
【請求項２３】
データ送信に対して定義された、第１のnumerology（ヌメロロジ―）および第２のnumerologyに基づいて無線デバイスに対する同期状態を決定するための無線デバイスであって、
処理回路であって、
前記無線デバイスと第１のネットワークノードおよび第２のネットワークノードとの間でそれぞれ交換された第１の信号と第２の信号との間の送信時間差を推定し、ここで、前記第１のnumerologyは、前記第１の信号を動作させるために使用され、前記第２のnumerologyは、前記第２の信号を動作させるために使用され、
前記第１のnumerologyおよび前記第２のnumerologyに基づいて閾値を取得し、 
前記推定された時間差と前記閾値との間の比較に基づいて、前記無線デバイスの前記同期状態を決定するように構成された処理回路を有する無線デバイス。
【請求項２４】
請求項２３に記載の無線デバイスであって、前記第１の信号は前記第１のネットワークノードからの第１のダウンリンク信号であり、前記第２の信号は前記第２のネットワークノードからの第２のダウンリンク信号であり、前記送信時間差を推定することは、前記第１のネットワークノードから受信された第１のダウンリンク信号の受信と、前記第２のネットワークノードから受信された前記第２のダウンリンク信号の受信との間の時間差を推定することを含み、前記閾値を取得することは、ダウンリンク閾値を取得することを含む、無線デバイス。
【請求項２５】
請求項２４に記載の無線デバイスであって、前記第１の信号は第１のアップリンク信号であり、前記第２の信号は第２のアップリンク信号であり、前記送信時間差を推定することは、前記第１のアップリンク信号を前記第１のネットワークノードへ送信することと、前記第２のアップリンク信号を前記第２のネットワークノードへ送信することの時間差を推定することを含み、前記閾値を取得することは、アップリンク閾値を取得することを含む、無線デバイス。
【国際調査報告】
2019533924.tif 000023
2019533924.tif 000024
2019533924.tif 000025